(57)【要約】【課題】脱着可能なカセットに装填されている紙葉類の種類の確認と、該カセットからの紙葉類の払い出し動作の確認とを効率的に実施する。【解決手段】新たな出金カセット１３２の装着を検知して、テスト出金を指示することができる画面を表示して、装着した出金カセット１３２からの紙幣のテスト出金の指示を受け付けたならば、装着した出金カセット１３２から紙幣を１枚、紙幣取出口１３６に払い出すようにした。また、払い出された紙幣をチケット挿入口１１１で受け付けたならば、受け付けた紙幣の金種を識別し、該紙幣の金種識別結果とテスト出金を指示した出金カセット１３２から取得した紙幣の金種の情報との整合をチェックすることによって、新たに装着された出金カセット１３２に装填されている紙幣の金種を検査できるようにした。【選択図】図１
2016038817.tif 000002
【特許請求の範囲】
【請求項１】
紙葉類を収納する脱着可能な複数の収納部と、
所定の位置に装着された各収納部に収納された紙葉類を払い出す紙葉類払出部と、
前記紙葉類払出部によって払い出された紙葉類を外部に取り出し可能な紙葉類取出部と、
前記所定の位置への各収納部の装着をそれぞれ検知する検知部と、
前記検知部により前記所定の位置に対して前記複数の収納部のうちの一又は複数の収納部が装着されたことを検知したことを条件として、該一又は複数の収納部から紙葉類を払い出すよう前記紙葉類払出部に指示する払出指示部と
を備えたことを特徴とする紙葉類処理装置。
【請求項２】
前記払出指示部は、
前記検知部により前記所定の位置に対して前記複数の収納部のうちの一又は複数の収納部が装着されたことが検知され、かつ、該一又は複数の収納部から払出対象となる収納部が指定されたならば、指定された収納部から紙葉類を払い出すよう前記紙葉類払出部に指示する
ことを特徴とする請求項１に記載の紙葉類処理装置。
【請求項３】
前記払出指示部は、
前記検知部により前記所定の位置に対して前記複数の収納部のうちの一又は複数の収納部が装着されたことが検知された際に、該一又は複数の収納部から払出対象となる収納部を指定する収納部指定画面を表示し、表示された収納部指定画面上で払出対象となる収納部が指定されたならば、指定された収納部から紙葉類を払い出すよう前記紙葉類払出部に指示する
ことを特徴とする請求項２に記載の紙葉類処理装置。
【請求項４】
前記払出指示部は、
前記検知部により前記所定の位置に対して前記複数の収納部のうちの一又は複数の収納部が装着されたことが検知された際に、該一又は複数の収納部から払出対象となる収納部を自動的に特定し、特定した収納部から紙葉類を払い出すよう前記紙葉類払出部に指示する
ことを特徴とする請求項２に記載の紙葉類処理装置。
【請求項５】
前記複数の収納部ごとに収納されるべき紙葉類の種類を設定する種類設定部と、
外部から紙葉類を受け付けて、受け付けた紙葉類の種類を識別する紙葉類識別部と、
前記紙葉類識別部により識別された紙葉類の種類と、前記払出指示部により払い出しの指示が行なわれた収納部について前記種類設定部によって設定された紙葉類の種類とが一致する場合に、前記払出指示部により払い出しの指示が行なわれた収納部に正しい種類の紙葉類が収納されていると判定する種類正否判定部と
を更に備えたことを特徴とする請求項１に記載の紙葉類処理装置。
【請求項６】
前記払出指示部は、複数の収納部からの紙葉類の払い出しの指示を前記紙葉類払出部に行う場合は、１の収納部について払い出しの指示を行う払出指示処理と、当該払い出しの指示に続いて行なわれる前記種類正否判定部による判定の終了まで待機する判定待機処理とを繰り返し、
前記種類正否判定部は、前記払出指示部の指示に基づいて収納部から前記紙葉類が払い出された後に、所定時間を経過しても前記紙葉類識別部によって紙葉類が受け付けられなかった場合に、前記紙葉類識別部に紙葉類が受け付けられなかった旨の報知を行う
ことを特徴とする請求項５に記載の紙葉類処理装置。
【請求項７】
前記種類正否判定部は、少なくとも収納されている紙葉類の種類が正しくないと判定した収納部からの払い出しを制限することを特徴とする請求項５に記載の紙葉類処理装置。
【請求項８】
前記検知部により装着が検知された収納部に係る情報と、前記種類正否判定部による判定結果とを、外部の装置へ通知する判定結果通知部をさらに備えたことを特徴とする請求項５に記載の紙葉類処理装置。
【請求項９】
前記紙葉類払出部によって収納部に収納された紙葉類の払い出しが行われた場合に、当該払い出しが前記払出指示部による指示に基づく払い出しであるか否かの情報を含む払い出し通知を外部の装置へ出力する払出通知部をさらに備えたことを特徴とする請求項５に記載の紙葉類処理装置。
【請求項１０】
前記紙葉類払出部によって収納部に収納された紙葉類の払い出しが行われ、かつ当該払い出しが前記払出指示部による指示に基づく払い出しでない場合に、外部の装置に払い出し通知を出力する払出通知部をさらに備えたことを特徴とする請求項５に記載の紙葉類処理装置。
【請求項１１】
紙葉類を収納する脱着可能な複数の収納部と、所定の位置に装着された各収納部に収納された紙葉類を払い出す紙葉類払出部と、前記紙葉類払出部によって払い出された紙葉類を外部に取り出し可能な紙葉類取出部とを備えた紙葉類処理装置における、
前記所定の位置への各収納部の装着をそれぞれ検知する検知ステップと、
前記検知ステップにより前記所定の位置に対して前記複数の収納部のうちの一又は複数の収納部が装着されたことを検知したことを条件として、該一又は複数の収納部から紙葉類を払い出すよう前記紙葉類払出部に指示する払出指示ステップと
を含むことを特徴とする紙葉類処理方法。
【発明の詳細な説明】
【技術分野】
【０００１】
この発明は、紙幣及び商品券等の有価媒体である紙葉類の払い出しを行う紙葉類処理装置及び紙葉類処理方法に関する。
【背景技術】
【０００２】
従来、脱着可能な紙幣カセットを有する紙幣処理装置において、紙幣が装填された紙幣カセットが紙幣処理装置に装着された後に、該紙幣カセットに装填されている紙幣の金種の正当性を確認する技術が知られている。例えば、特許文献１には、紙幣カセットから装填されている紙幣を１枚繰り出して金種を判別し、該紙幣カセットに設定されている金種と照合することによって、該紙幣カセットに装填されている紙幣の金種の正当性を確認するという技術が開示されている。
【先行技術文献】
【特許文献】
【０００３】
【特許文献１】特開２０１３−１１４４１０号
【発明の概要】
【発明が解決しようとする課題】
【０００４】
しかしながら、特許文献１によると、紙幣カセットから繰り出された紙幣は、金種の識別が行われた後で、繰り出し元の紙幣カセットに戻されてしまうことから、紙幣の払い出しの装置の一連の動作の確認を行うことができなかった。特に、客が直接使用する紙幣処理装置においては、運用開始前に装置の一連の動作の確認を行うこととしているのが一般的であるため、装着した紙幣カセットの金種の正当性を確認とは別に、一連の払い出しの動作の確認を行う必要があり、運用開始前の準備作業が効率的ではなかった。
【０００５】
また、上記特許文献１によれば、紙幣カセットを紙幣処理装置に装着したとしても、該紙幣カセットに装填されている金種の正当性の確認の指令が装置外部から与えられなければ、装填されている紙幣の金種の確認処理が作動しないこととなってしまう。このため、運用者の作業漏れなどによって該指令が与えられないという事態が起こると、金種の正当性の確認処理が行われないまま、運用を開始してしまうことになってしまう。
【０００６】
本発明は、上述した従来技術の課題を解決するためのものであって、脱着可能なカセットに装填されている紙葉類の種類の確認と、該カセットからの紙葉類の払い出しの一連の動作の確認とを効率的に実施することのできる紙葉類処理装置及び紙葉類処理方法を提供することを目的とする。
【課題を解決するための手段】
【０００７】
上述した課題を解決し、目的を達成するため、本発明は、紙葉類を収納する脱着可能な複数の収納部と、所定の位置に装着された各収納部に収納された紙葉類を払い出す紙葉類払出部と、前記紙葉類払出部によって払い出された紙葉類を外部に取り出し可能な紙葉類取出部と、前記所定の位置への各収納部の装着をそれぞれ検知する検知部と、前記検知部により前記所定の位置に対して前記複数の収納部のうちの一又は複数の収納部が装着されたことを検知したことを条件として、該一又は複数の収納部から紙葉類を払い出すよう前記紙葉類払出部に指示する払出指示部とを備えたことを特徴とする。
【０００８】
また、本発明は、上記発明において、前記払出指示部は、前記検知部により前記所定の位置に対して前記複数の収納部のうちの一又は複数の収納部が装着されたことが検知され、かつ、該一又は複数の収納部から払出対象となる収納部が指定されたならば、指定された収納部から紙葉類を払い出すよう前記紙葉類払出部に指示することを特徴とする。
【０００９】
また、本発明は、上記発明において、前記払出指示部は、前記検知部により前記所定の位置に対して前記複数の収納部のうちの一又は複数の収納部が装着されたことが検知された際に、該一又は複数の収納部から払出対象となる収納部を指定する収納部指定画面を表示し、表示された収納部指定画面上で払出対象となる収納部が指定されたならば、指定された収納部から紙葉類を払い出すよう前記紙葉類払出部に指示することを特徴とする。
【００１０】
また、本発明は、上記発明において、前記払出指示部は、前記検知部により前記所定の位置に対して前記複数の収納部のうちの一又は複数の収納部が装着されたことが検知された際に、該一又は複数の収納部から払出対象となる収納部を自動的に特定し、特定した収納部から紙葉類を払い出すよう前記紙葉類払出部に指示することを特徴とする。
【００１１】
また、本発明は、上記発明において、前記複数の収納部ごとに収納されるべき紙葉類の種類を設定する種類設定部と、外部から紙葉類を受け付けて、受け付けた紙葉類の種類を識別する紙葉類識別部と、前記紙葉類識別部により識別された紙葉類の種類と、前記払出指示部により払い出しの指示が行なわれた収納部について前記種類設定部によって設定された紙葉類の種類とが一致する場合に、前記払出指示部により払い出しの指示が行なわれた収納部に正しい種類の紙葉類が収納されていると判定する種類正否判定部とを更に備えたことを特徴とする。
【００１２】
また、本発明は、上記発明において、前記払出指示部は、複数の収納部からの紙葉類の払い出しの指示を前記紙葉類払出部に行う場合は、１の収納部について払い出しの指示を行う払出指示処理と、当該払い出しの指示に続いて行なわれる前記種類正否判定部による判定の終了まで待機する判定待機処理とを繰り返し、前記種類正否判定部は、前記払出指示部の指示に基づいて収納部から前記紙葉類が払い出された後に、所定時間を経過しても前記紙葉類識別部によって紙葉類が受け付けられなかった場合に、前記紙葉類識別部に紙葉類が受け付けられなかった旨の報知を行うことを特徴とする。
【００１３】
また、本発明は、上記発明において、前記種類正否判定部は、少なくとも収納されている紙葉類の種類が正しくないと判定した収納部からの払い出しを制限することを特徴とする。
【００１４】
また、本発明は、上記発明において、前記検知部により装着が検知された収納部に係る情報と、前記種類正否判定部による判定結果とを、外部の装置へ通知する判定結果通知部をさらに備えたことを特徴とする。
【００１５】
また、本発明は、上記発明において、前記紙葉類払出部によって収納部に収納された紙葉類の払い出しが行われた場合に、当該払い出しが前記払出指示部による指示に基づく払い出しであるか否かの情報を含む払い出し通知を外部の装置へ出力する払出通知部をさらに備えたことを特徴とする。
【００１６】
また、本発明は、上記発明において、前記紙葉類払出部によって収納部に収納された紙葉類の払い出しが行われ、かつ当該払い出しが前記払出指示部による指示に基づく払い出しでない場合に、外部の装置に払い出し通知を出力する払出通知部をさらに備えたことを特徴とする。
【００１７】
また、本発明は、紙葉類を収納する脱着可能な複数の収納部と、所定の位置に装着された各収納部に収納された紙葉類を払い出す紙葉類払出部と、前記紙葉類払出部によって払い出された紙葉類を外部に取り出し可能な紙葉類取出部とを備えた紙葉類処理装置における、前記所定の位置への各収納部の装着をそれぞれ検知する検知ステップと、前記検知ステップにより前記所定の位置に対して前記複数の収納部のうちの一又は複数の収納部が装着されたことを検知したことを条件として、該一又は複数の収納部から紙葉類を払い出すよう前記紙葉類払出部に指示する払出指示ステップとを含むことを特徴とする。
【発明の効果】
【００１８】
本発明によれば、紙葉類を収納する脱着可能な複数の収納部と、所定の位置に装着された各収納部に収納された紙葉類を払い出す紙葉類払出部と、紙葉類払出部によって払い出された紙葉類を外部に取り出し可能な紙葉類取出部とを備えて、所定の位置への各収納部の装着をそれぞれ検知し、所定の位置に対して複数の収納部のうちの一又は複数の収納部が装着されたことを検知したことを条件として、該一又は複数の収納部から紙葉類を払い出すよう紙葉類払出部に指示するよう構成したので、脱着可能なカセットに装填されている紙葉類の種類の確認と、該カセットからの紙葉類の払い出し動作の確認とを効率的に実施することができる。
【図面の簡単な説明】
【００１９】
【図１】図１は、実施例１に係る精算機における、脱着可能な出金カセットに装填されている紙幣の金種の確認及び出金動作の確認に係る処理の概要を説明するための図である。
【図２】図２は、実施例１に係るカジノにおける遊技システムのシステム構成を説明するための図である。
【図３】図３は、図２に示したスロットマシンの機能的な内部構成を示す機能ブロック図である。
【図４】図４は、図２に示した精算機の外観構成を示す図である。
【図５】図５は、図２示した精算機の紙幣出金部の概略的な内部の構成を示す内部構成図である。
【図６】図６は、図２に示した精算機の実施例１に係る機能的な内部構成を示す機能ブロック図である。
【図７】図７は、図６に示した精算機の実施例１に係るデータ構成について説明するための説明図（その１）である。
【図８】図８は、図６に示した精算機の実施例１に係るデータ構成について説明するための説明図（その２）である。
【図９】図９は、図２に示したチケットサーバの実施例１に係る機能的な内部構成を示す機能ブロック図である。
【図１０】図１０は、図９に示したチケットサーバの実施例１に係るデータ構成について説明するための説明図である。
【図１１】図１１は、図２に示した管理サーバの実施例１に係る機能的な内部構成を示す機能ブロック図である。
【図１２】図１２は、図１１に示した管理サーバの実施例１に係るデータ構成について説明するための説明図である。
【図１３】図１３は、図２に示した集計端末の実施例１に係る機能的な内部構成を示す機能ブロック図である。
【図１４】図１４は、図２に示した精算機の実施例１に係る画面構成について説明するための図である。
【図１５】図１５は、実施例１に係る精算機における出金カセットの装着時の処理から、装着された出金カセットからの紙幣の払い出し処理及び装着された出金カセットに装填された紙幣の金種の確認処理までの一連の処理の処理手順を示すフローチャートである。
【図１６】図１６は、図１５に示した新たに装着された出金カセットに装填された紙幣の金種の検査である金種検査処理の詳細な処理手順を示すフローチャートである。
【図１７】図１７は、実施例２に係る精算機に装着する出金カセットへの紙幣の装填から、営業終了後の精査処理までの全体の処理概要を説明するための図である。
【図１８】図１８は、図１７に示した紙幣処理機の実施例２に係る機能的な内部構成を示す機能ブロック図である。
【図１９】図１９は、図１８に示した紙幣処理機の実施例２に係るデータ構成について説明するための説明図である。
【図２０】図２０は、図１７に示した回収ボックス計数機の実施例２に係る機能的な内部構成を示す機能ブロック図である。
【図２１】図２１は、図２０に示した回収ボックス計数機の実施例２に係るデータ構成について説明するための説明図である。
【図２２】図２２は、図１７に示した精算機の実施例２に係る機能的な内部構成を示す機能ブロック図である。
【図２３】図２３は、図２２に示した集計端末の実施例２に係る機能的な内部構成を示す機能ブロック図である。
【図２４】図２４は、実施例２に係る精算機における出金カセットの装着時の処理から、装着された出金カセットからの紙幣の払い出し処理及び装着された出金カセットに装填された紙幣の金種の確認処理までの一連の処理の処理手順を示すフローチャートである。
【発明を実施するための形態】
【００２０】
以下に、添付図面を参照して、本発明に係る紙葉類処理装置及び紙葉類処理方法の好適な実施例を詳細に説明する。
【実施例１】
【００２１】
まず、本実施例に係る精算機１００における、脱着可能な出金カセット１３２に装填されている紙幣の金種の確認及び出金動作の確認に係る処理の概要を、図１を用いて説明する。図１は、バックオフィスにおいて担当者Ａが出金カセット１３２に紙幣を装填して、紙幣装填済みの出金カセット１３２を受け取った担当者Ｂが、カジノの営業フロア内にある精算機１００に該出金カセット１３２を装着して、出金カセット１３２に装填されている紙幣の金種の確認及び出金動作の確認を行う一連の処理の流れを説明するための図である。
【００２２】
出金カセット１３２は、ディップスイッチなどによって装填すべき紙幣の金種を示す情報を有している。また、この装填すべき紙幣の金種を示す情報は出金カセット１３２が精算機１００に装着されたならば、精算機１００はこの装填すべき紙幣の金種を示す情報を出金カセット１３２より取得することができる。また、装填すべき金種の情報を記憶するＩＣタグを出金カセット１３２に装着しておいて、該ＩＣタグから金種の情報を読み取るようにしてもよい。
【００２３】
（ａ）に示すように、担当者Ａは、バックオフィスにおいて、出金カセット１３２の有する装填すべき金種の情報に応じた紙幣を、出金カセット１３２に装填する。担当者Ａとは異なる担当者Ｂは、（ｂ）に示すように、紙幣装填済みの出金カセット１３２を受け取って、（ｃ）に示すように、受け取った出金カセット１３２を営業フロア内にある精算機１００に装着する。出金カセット１３２に紙幣を装填する場合には、出金カセット１３２を解錠するための鍵が必要であり、担当者Ａはこの鍵を使用して紙幣を装填するが、セキュリティ上の理由で担当者Ｂはこの鍵を使用することができないことから、受け取った出金カセット１３２に正しい金種の紙幣が装填されているか否かの確認は、この時点では行うことはできない。
【００２４】
出金カセット１３２の装着を検知した精算機１００は、表示操作部１０１に、（ｄ）に示すようなテスト出金用の画面の表示を行う。（ｄ）に示したテスト出金用の画面は、新たに装着されてテスト出金がまだ行われていない出金カセット１３２を選択可能に表示して、出金カセット１３２の選択操作によって選択した出金カセット１３２からのテスト出金の指示を受け付けることができる。（ｄ）に示した画面の例は、カセット＃１〜カセット＃５の５つの出金カセット１３２のうち、テスト出金がまだ行われていない選択可能な出金カセット１３２がカセット＃５であることを示している。
【００２５】
（ｄ）に示した画面において、「カセット＃５」のボタンの押下を受け付けた場合には、（ｅ）に示すように精算機１００は、カセット＃５に対応する出金カセット１３２から、該出金カセット１３２に装填されている紙幣を１枚繰り出して、紙幣取出口１３６に投出する。この精算機１００の動作は、精算機１００の主たる機能であるチケットの精算処理における、カセット＃５に対する出金カセット１３２から紙幣を払い出す場合の動作と同じであることから、カセット＃５に係る払い出し動作を確認したことに他ならない。ただし、精算機１００は、出金カセット１３２から紙幣を繰り出して、紙幣取出口１３６に投出するまでの間に、投出される金種のチェックは行っていないことから、（ａ）において担当者Ａによって出金カセット１３２に装填された紙幣の金種が正しいか否かの確認が行われたことにはならない。
【００２６】
そこで、（ｅ）において紙幣取出口１３６に投出された紙幣を、（ｆ）に示すように、担当者Ｂによってチケット挿入口１１１に投入されたならば、精算機１００は、投入された紙幣の金種を図示しない鑑別部１１２で判別し、出金カセット１３２の有する装填すべき紙幣の金種の情報との整合をチェックする。
【００２７】
図示しない鑑別部１１２で判別した投入された紙幣の金種と、出金カセット１３２の有する装填すべき紙幣の金種との整合をチェックして、双方の金種が一致している場合には、出金カセット１３２に装填されている紙幣が正しいと判定し、双方の金種が一致しない場合には、出金カセット１３２に装填されている紙幣が正しくないものと判定する。精算機１００は、その判定結果に基づいて、（ｇ）に示すように、表示操作部１０１に表示されている画面に、カセット＃５に対応する出金カセット１３２に装填されている紙幣の金種が正しいか否かの判定結果を表示する。（ｇ）に示す画面の例は、カセット＃５に対応する出金カセット１３２に装填されている紙幣の金種の整合のチェックの結果として「良」が点滅しており、カセット＃５に対応する出金カセット１３２に装填されている紙幣の金種が正しかったこと示している。また、出金カセット１３２に装填されている紙幣の金種が正しくなかった場合には、「不良」が点滅することとなる。
【００２８】
このように、新たな出金カセット１３２の装着を検知して、テスト出金を指示することができる画面を表示して、装着した出金カセット１３２からの紙幣のテスト出金の指示を受け付けたならば、装着した出金カセット１３２から紙幣を１枚、紙幣取出口１３６に払い出すようにした。また、払い出された紙幣をチケット挿入口１１１で受け付けたならば、受け付けた紙幣の金種を識別し、該紙幣の金種識別結果とテスト出金を指示した出金カセット１３２から取得した紙幣の金種の情報との整合をチェックすることによって、新たに装着された出金カセット１３２に装填されている紙幣の金種を検査できるようにしたので、脱着可能なカセットに装填されている紙葉類の種類の確認と、該カセットからの紙葉類の払い出し動作の確認とを効率的に実施することができる。
【００２９】
次に、実施例１に係るカジノにおける遊技システムのシステム構成を、図２を用いて説明する。図２に示すようにカジノは営業フロアとバックオフィスに区分けされており、営業フロアには複数のスロットマシン１０及び複数の精算機１００が設置されており、バックオフィスにはチケットサーバ２０、管理サーバ３０及び集計端末４０が設置されている。また、スロットマシン１０、チケットサーバ２０、管理サーバ３０、集計端末４０及び精算機１００は、ＬＡＮなどの通信線により相互に接続されている。また、精算機１００は、外部の銀行システムと該通信線及びインターネットなどの通信網を経由して接続している。
【００３０】
スロットマシン１０は、硬貨の投入を受け付けて抽選を行い、該抽選が当りとなった場合には賞金に対応する硬貨の払い出し又は賞金に対応するチケットの発行を行う。発行されたチケットは、営業フロア内に設置される精算機１００に投入することによって、当該チケットに応じた貨幣の払い出しを受けることができる。また、スロットマシン１０は、賞金に応じたチケットの発行の際には、カジノ全体でユニークに識別可能なチケット番号と、発行チケットに対応する賞金額とを含むチケット発行通知をチケットサーバ２０に送信する。
【００３１】
チケットサーバ２０は、スロットマシン１０からチケット発行通知を受け付けた場合には、受け付けた発行通知の内容を記憶するとともに、受け付けたチケットの精算の状況などを含む状態を管理する。
【００３２】
精算機１００は、スロットマシン１０で発行されたチケットを受け付けて、該チケットに応じた賞金の払い出しを行う。また、精算機１００は、チケットの精算以外に、両替と、銀行システムと連携した銀行の口座への入出金取引とにともなう紙幣及び硬貨の払い出し及び紙幣の受入を行うことができる。また、精算機１００は、チケットの精算が行われると、受け付けたチケットのチケット番号を含むチケット精算通知をチケットサーバ２０に送信する。チケットサーバ２０は、当該チケット精算通知を受け付けて、チケットの状態を精算済に移行する。また、精算機１００は、自装置内の紙幣及び硬貨の在高の管理を行い、自装置内で管理する在高に係る情報は、管理サーバ３０にも送信する。
【００３３】
管理サーバ３０は、カジノ内の全ての精算機１００の現金の在高や、取引内容及び精算機１００の状態の管理を行う。具体的には、管理サーバ３０は、精算機１００への紙幣及び硬貨の補充に係る情報や、精算機１００からの紙幣、硬貨及びチケットの回収に係る情報を受け付けて、精算機１００ごとに記憶する。また、精算機１００で行われる、チケット精算、両替及び入出金にともなう紙幣及び硬貨の受け付けた内容及び払い出した内容である取引履歴の情報を受け付けて、精算機１００ごとに記憶する。また、管理サーバ３０は、精算機１００で払い出し処理が失敗した場合に発行する失敗レシートの情報を管理して、払い出しの再処理状況を管理する。また、管理サーバ３０は、精算機１００などから受け付けた紙幣及び硬貨の補充、回収、受付及び払い出しなどの情報を集計して、精算機１００ごとに集計情報を出力する。
【００３４】
集計端末４０は、精算機１００へ装着する出金カセット１３２に装填した紙幣の枚数などの情報、精算機１００の硬貨出金部１４０に装着する硬貨出金ボックスに装填した硬貨の金種別の枚数などの情報を管理サーバ３０に登録する機能を備える。また、集計端末４０は、精算機１００から回収した出金カセット１３２、硬貨出金ボックス及び受入ボックス１１４、１２４に残っていた紙幣、硬貨の在高を管理サーバ３０に登録する機能を備える。
【００３５】
また、集計端末４０は、精算機１００から回収した受入ボックス１１４、１２４に収められていたチケットから、バーコードリーダ４４を用いてチケット番号を読み取り、読み取ったチケット番号をチケットサーバ２０に送信する。チケットサーバ２０は、受け付けたチケット番号に基づいて、チケットの状態の更新を行う。
【００３６】
また、集計端末４０は、精査の指示を受け付けて、管理サーバ３０にカジノ全体及び精算機１００ごとの在高と取引履歴の整合性の検証の依頼である精査要求を送信する。管理サーバ３０は、集計端末４０からの精査要求を受け付けたならば、精算機１００ごとの補充に係る情報、回収に係る情報、取引履歴の情報を集計して、精算機１００ごと及び全ての精算機１００に対する集計結果と該集計結果の整合性の評価結果を出力する。
【００３７】
次に、図２に示したスロットマシン１０の機能的な内部構成を説明する。図３は、スロットマシン１０の機能的な内部構成を示す機能ブロック図である。図３に示すように、スロットマシン１０は、ＩＣリーダ１１、硬貨搬送部１２ａ、硬貨払出部１２ｂ、チケット発行部１２ｃ、通信Ｉ／Ｆ部１３、表示部１４、操作部１５、ドラム１６ａ、硬貨収納部１６ｂ、チケット収納部１６ｃ及び制御部１７を有する。
【００３８】
ＩＣリーダ１１は、メンバーシップカードがかざされた場合に、該カードから非接触通信によってカードＩＤを読み出して制御部１７に出力する。硬貨搬送部１２ａは、投入された硬貨の硬貨収納部１６ｂへの収納並びに返却を行う。硬貨払出部１２ｂは、抽選が当りとなった場合に、賞金を硬貨で払い出す処理部であり、チケット発行部１２ｃは、抽選が当りとなった場合に、賞金をチケット発行により払い出す処理部である。賞金を硬貨とチケットのいずれで払い出すかは、賞金の額によって定める。すなわち、賞金が所定額未満であれば、硬貨で賞金の払い出しを行い、賞金が所定額以上であれば、チケット発行により賞金を払い出す。賞品の額に関係なくチケットを発行するようにしてもよい。
【００３９】
通信Ｉ／Ｆ部１３は、ネットワークを介してチケットサーバ２０と通信するためのインタフェース部である。表示部１４は、液晶ディスプレイ等の表示機器であり、スロットマシン１０に対する投入金額、抽選結果、賞金額などを表示する。操作部１５は、ボタンやアーム等、遊技者による操作を受け付ける操作機器であり、ドラム１６ａの回転開始、抽選実行などの操作を受け付ける。
【００４０】
ドラム１６ａは、複数のドラムリールがそれぞれ回転し、抽選結果に対応した絵柄の配置で停止するよう制御されることで、抽選結果を遊技者に視認可能とする機器である。硬貨収納部１６ｂは、硬貨搬送部１２ａにより搬送された硬貨を収納する。また、硬貨収納部１６ｂには、予め所定数の硬貨を貯蔵しておく。貯蔵された硬貨は硬貨払出部１２ｂによる払い出しに用いられる。チケット収納部１６ｃは、チケット発行部１２ｃが発行するチケットを収納する収納部である。
【００４１】
制御部１７は、スロットマシン１０を全体制御する制御部であり、硬貨処理部１７ａ、当り判定部１７ｂ、ドラム制御部１７ｃ、硬貨払出制御部１７ｄ及びチケット発行制御部１７ｅを有する。実際には、これらの機能部に対応するプログラムを図示しないＲＯＭや不揮発性メモリに記憶しておき、これらのプログラムをＣＰＵにロードして実行することにより、それぞれ対応するプロセスを実行させることになる。
【００４２】
硬貨処理部１７ａは、投入された硬貨の真贋判定を行い、真贋判定により真正な硬貨ではないと判定した場合には、投入された硬貨を返却する。また、真贋判定により真正な硬貨であると判定した場合には、投入された金額を金種識別により識別する。硬貨処理部１７ａは、投入された硬貨を受け付けて硬貨収納部１６ｂに収納し、当り判定部１７ｂによる抽選を開始させる。
【００４３】
当り判定部１７ｂは、所定の抽選処理を実行し、抽選の結果を表示部１４に表示するとともに、ドラム制御部１７ｃに抽選の結果を出力する。ドラム制御部１７ｃは、図示しないステッピングモータを用いて、ドラム１６ａが抽選結果に対応した絵柄の配置で停止するよう制御する。すなわち、抽選結果が当りであれば、同一の絵柄が並ぶようにドラム１６ａを停止させ、抽選結果が外れであれば、同一の絵柄が並ばないようドラム１６ａを停止させる。
【００４４】
硬貨払出制御部１７ｄは、抽選結果が当りであり、賞金が所定額未満である場合に、硬貨収納部１６ｂから賞金に対応する硬貨を払い出すよう硬貨払出部１２ｂを動作させる。また、チケット発行制御部１７ｅは、抽選結果が当りであり、賞金が所定額以上である場合に、チケット収納部１６ｃから賞金に対応するチケットを発行するようチケット発行部１２ｃを動作させる。
【００４５】
次に、図２に示した精算機１００の外観構成を説明する。図４は、精算機１００の外観構成を示す図である。
【００４６】
精算機１００の前面の中央には表示操作部１０１が配置される。表示操作部１０１は、タッチ式の液晶ディプレイなどの入出力部である。表示操作部１０１の右下には、テンキーなどを含むキーボードである入力部１０２が配置される。また、該表示操作部１０１の左下には、払い出される硬貨を取り出す硬貨取出口１４１が配置される。また、硬貨取出口１４１のさらに左側には、発行されたレシートを受け取るレシート取出口１５１が配置される。
【００４７】
また、表示操作部１０１の上には、操作者の顔画像などを撮像するためのカメラ１０５が配置される。また、表示操作部１０１の右側に、銀行カードを挿入する銀行カード挿入口１６１と、表示操作部１０１の右上に、当該精算機の補充や回収などの運用操作を行う係員用のカードを挿入する係員カード挿入口１７１が配置される。
【００４８】
精算機１００の装置最上部には、赤色、緑色、黄色などの光を発光することができる呼出ランプ１０４がある。呼出ランプ１０４は、障害などの装置の異常や、紙幣ニアエンドやエンプティなどの状態に応じた色や点灯／点滅の制御が行われる。これによって、係員の対応が必要である状態であることの報知を行う。
【００４９】
また、硬貨取出口１４１及びレシート取出口１５１の下には、払い出される紙幣を取り出す紙幣取出口１３６が配置される。また、紙幣取出口１３６の右には、チケット精算時にチケットを挿入するためのチケット挿入口１１１、１２１が配置される。また、チケット挿入口１１１、１２１は、両替の時には両替元の紙幣を受け付ける。また、チケット挿入口１１１、１２１は、銀行カードを使用した銀行口座への入金時には入金する紙幣を受け付ける。
【００５０】
次に、図２示した精算機１００の紙幣出金部１３０の概略的な内部の構成を、図５を用いて説明する。図５は、図４に示した紙幣取出口１３６を含んだ払い出し紙幣の搬送面に垂直な面による紙幣出金部１３０の断面を示す図である。
【００５１】
出金紙幣収納部１３１は、当該紙幣出金部１３０から払い出す紙幣が収納されている部分である。出金紙幣収納部１３１には、出金カセット１３２ａ、１３２ｂ、１３２ｃ、１３２ｄ、１３２ｅの５つのカセットの装着が可能である。出金カセット１３２ａ、１３２ｂ、１３２ｃ、１３２ｄ、１３２ｅはいずれも同じ構成であるが、説明の便宜上、出金紙幣収納部１３１上の位置１に装着された場合に出金カセット１３２ａ、位置２に装着された場合に出金カセット１３２ｂ、位置３に装着された場合に出金カセット１３２ｃ、位置４に装着された場合に出金カセット１３２ｄ、位置５に装着された場合に出金カセット１３２ｅと言い、装着された位置を特定しない場合には出金カセット１３２と言うものとする。
【００５２】
出金カセット１３２ａ、１３２ｂ、１３２ｃ、１３２ｄ、１３２ｅから繰り出された紙幣は、出金搬送部１３３によって一時保留部１３４に搬送される。一時保留部１３４は、所定の枚数単位に紙幣取出口１３６に搬送するために所定枚数に達するまで一時的に搬送された紙幣を貯留する部位である。
【００５３】
一時保留部１３４に貯留されている紙幣の枚数が所定枚数に達した場合、若しくは所定枚数に達していなくても払い出す全ての紙幣がそろった場合には、一時保留部１３４に貯留されている紙幣は、出金搬送部１３３によって紙幣取出口１３６に払い出される。
【００５４】
また、出金搬送部１３３は、一時保留部１３４の上流位置において、一時保留部１３４への搬送部分と、リジェクトボックス１３５への搬送部分に分岐している。また、出金搬送部１３３は、一時保留部１３４の下流位置において、紙幣取出口１３６への搬送部分と、リジェクトボックス１３５への搬送部分に分岐している。
【００５５】
リジェクトボックス１３５は、一旦出金カセット１３２から繰り出された紙幣が、エンプティなどによって必要枚数がそろわなかったことなどによって払い出しを行わなかった紙幣を収納するための部位である。このような場合に、まだ一時保留部１３４に到達していなかった紙幣は、一時保留部１３４の上流位置の分岐においてリジェクトボックス１３５側に分岐して搬送し、既に一時保留部１３４に到達していた紙幣は、一時保留部１３４の下流位置の分岐においてリジェクトボックス１３５側に分岐して搬送するように制御される。
【００５６】
次に、図２に示した精算機１００の実施例１に係る機能的な内部構成を説明する。図６は、精算機１００の実施例１に係る機能的な内部構成を示す機能ブロック図である。図６に示すように、精算機１００は、表示操作部１０１、入力部１０２、通信部１０３、呼出ランプ１０４、カメラ１０５、記憶部１０６、制御部１０７、第１受入部１１０、第２受入部１２０、紙幣出金部１３０、硬貨出金部１４０、レシートプリンタ１５０、銀行カードリーダ１６０及び係員カードリーダ１７０を有している。
【００５７】
表示操作部１０１は、タッチ式の液晶ディスプレイなどの入出力部である。入力部１０２は、操作キー等の入力部である。通信部１０３は、精算機１００が、チケットサーバ２０及び管理サーバ３０などとのデータ通信を行うためのインタフェース部である。呼出ランプ１０４は、ジャムなどの障害発生時に点灯して係員に対応が必要なことを報知する。カメラ１０５は、セキュリティを目的として当該精算機１００の操作者の顔画像などを撮像する。
【００５８】
第１受入部１１０は、チケット挿入口１１１、鑑別部１１２、受入搬送部１１３及び受入ボックス１１４を有する。第１受入部１１０は、スロットマシン１０で発行されたチケットをチケット挿入口１１１で受け付けた場合には、鑑別部１１２で受け付けたチケットの真偽判別を行うとともに、チケット番号と、チケットに関連付けられた賞金額とを取得して制御部１０７に結果を出力する。また、第１受入部１１０は、鑑別部１１２による真偽判別の結果が真正なチケットである場合には、受け付けたチケットを受入搬送部１１３で受入ボックス１１４まで搬送し、受入ボックス１１４に収納する。受入ボックス１１４は、装置から取り外すことが可能であり、営業終了後には装置から取り外して回収する。
【００５９】
また、第１受入部１１０は、紙幣をチケット挿入口１１１で受け付けた場合には、鑑別部１１２で受け付けた紙幣の真偽判別と紙幣の種類を判別して制御部１０７に結果を出力する。また、第１受入部１１０は、鑑別部１１２による真偽判別の結果が真正な紙幣である場合には、受け付けた紙幣を受入搬送部１１３で受入ボックス１１４まで搬送し、受入ボックス１１４に収納する。また、第２受入部１２０については、図６には内部構成を図示しないが第１受入部１１０と同じ構造であり、チケット挿入口１２１、鑑別部１２２、受入搬送部１２３及び受入ボックス１２４を有している。
【００６０】
紙幣出金部１３０は、出金紙幣収納部１３１、出金搬送部１３３、一時保留部１３４、リジェクトボックス１３５及び紙幣取出口１３６を有している。出金紙幣収納部１３１には、最大５つの出金カセット１３２を装着することが可能である。出金カセット１３２は、出金紙幣収納部１３１からの取り外しが可能である。また、出金カセット１３２は、出金紙幣収納部１３１から取り外した状態で、専用の鍵を用いることによって施錠及び解錠が可能であり、解錠された状態において紙幣の装填を行うことが可能である。
【００６１】
また、出金カセット１３２は、単一の金種の紙幣を装填して運用するものであり、出金カセット１３２自体に装填されるべき紙幣の金種の情報を有している。また、出金カセット１３２は、自身のカセット識別情報も有しており、出金紙幣収納部１３１に装着した状態で、自身に装填されるべき金種の情報及び自身のカセット識別情報を制御部１０７から読み取ることが可能である。
【００６２】
硬貨出金部１４０は、硬貨の払い出しを行う処理部である。レシートプリンタ１５０は、レシートなどを出力するプリンタである。銀行カードリーダ１６０は、銀行のカードを読み込むためのカードリーダである。当該精算機１００は、銀行のシステムとも通信で接続されており、銀行カードを使用した入出金取引を行うことが可能である。係員カードリーダ１７０は、当該精算機１００の運用及び保守を行う係員が使用する場合に挿入する係員カードを読み込むためのカードリーダである。
【００６３】
記憶部１０６は、ハードディスク装置や不揮発性メモリ等の記憶デバイスであり、出金カセットパラメータ１０６ａ、出金カセット検査パラメータ１０６ｂ、受入部パラメータ１０６ｃ、出金カセットデータ１０６ｄ、在高データ１０６ｅ、取引履歴データ１０６ｆ及び失敗レシート発行データ１０６ｇを記憶する。
【００６４】
出金カセットパラメータ１０６ａは、５つ存在する出金カセット１３２の装着可能な出金紙幣収納部１３１の部位が、それぞれの部位ごとに装着可能な出金カセット１３２の金種の情報を有している。出金カセット検査パラメータ１０６ｂは、出金カセット１３２を出金紙幣収納部１３１に装着したときに行う、金種確認処理に係るパラメータである。受入部パラメータ１０６ｃは、第１受入部１１０及び第２受入部１２０の運用方法に係るパラメータである。
【００６５】
出金カセットデータ１０６ｄは、出金紙幣収納部１３１に装着された出金カセット１３２に係る、出金カセット１３２から取得したカセット識別情報、装填されるべき金種の情報、実際に装填されている金種の検査結果及び紙幣の装填枚数などを含むデータである。在高データ１０６ｅは、装置内に保有する紙幣、硬貨及びチケット枚数等のデータである。具体的には、第１受入部１１０、第２受入部１２０、紙幣出金部１３０及び硬貨出金部１４０に有する在高のデータである。
【００６６】
取引履歴データ１０６ｆは、当該精算機１００で行われたチケットの精算の取引、両替の取引及び銀行カードによる入出金の取引などの履歴情報である。失敗レシート発行データ１０６ｇは、当該精算機１００で、チケットの精算の取引、両替の取引若しくは出金の取引において、払い出しでエラーになった時に発行する失敗レシートの発行履歴である。
【００６７】
制御部１０７は、精算機１００全体を制御する制御部であり、補充・回収処理部１０７ａ、チケット精算部１０７ｂ、両替処理部１０７ｃ、カード入出金処理部１０７ｄ、出金制御部１０７ｅ、出金カセット検査部１０７ｆ及び出金再処理部１０７ｇを有する。実際には、これらの機能部に対応するプログラムを図示しないＲＯＭや不揮発性メモリに記憶しておき、これらのプログラムをＣＰＵにロードして実行することにより、それぞれ対応するプロセスを実行させることになる。
【００６８】
補充・回収処理部１０７ａは、紙幣出金部１３０又は硬貨出金部１４０に紙幣又は硬貨を装填する場合に、装填された紙幣又は硬貨に応じて在高データ１０６ｅの更新を行う。また、補充・回収処理部１０７ａは、紙幣出金部１３０の出金紙幣収納部１３１に出金カセット１３２を装着された場合には、該出金カセット１３２から装填されるべき金種の情報を読み取って、該出金カセット１３２が装着された場所に装着していいかどうか判定を行い、装着した場所が正しくない場合にはその旨のメッセージ表示を行う。
【００６９】
また、装着した場所が正しい場合には、入力部１０２などから受け付けたカセット識別情報と、該出金カセット１３２から読み取ったカセット識別情報とが一致することを確認した上で、該カセット識別情報と、入力部１０２などから受け付けた該出金カセット１３２に装填されている紙幣枚数などの情報とを含む情報を出金カセットデータ１０６ｄに登録するとともに、在高データ１０６ｅの更新を行う。
【００７０】
また、補充・回収処理部１０７ａは、第１受入部１１０、第２受入部１２０、紙幣出金部１３０及び硬貨出金部１４０に残った紙幣、硬貨及びチケットの回収にともなって、在高データ１０６ｅの更新を行う。また、補充・回収処理部１０７ａは、第１受入部１１０の受入ボックス１１４、第２受入部１２０の受入ボックス１２４、及び紙幣出金部１３０の出金カセット１３２の取り出しを検知したならば、在高データ１０６ｅの更新を行う。また、補充・回収処理部１０７ａは、紙幣出金部１３０の出金カセット１３２の取り出しを検知した場合には、出金カセットパラメータ１０６ａの内容の更新も併せて実施する。
【００７１】
チケット精算部１０７ｂは、第１受入部１１０若しくは第２受入部１２０で、スロットマシン１０で発行されたチケットを受け付けて、受け付けたチケットに応じた賞金に対応する紙幣及び硬貨の出金の指示を出金制御部１０７ｅに出力するとともに、該出金の指示に対応するチケットの精算取引の内容を取引履歴データ１０６ｆに登録する。また、取引履歴データ１０６ｆに登録された内容は、管理サーバ３０及びチケットサーバ２０にも送信される。
【００７２】
両替処理部１０７ｃは、第１受入部１１０若しくは第２受入部１２０で両替元の紙幣を受け付けて、表示操作部１０１などから両替パターンの入力を受け付けて両替の処理を行う。具体的には、両替処理部１０７ｃは、受け付けた両替元の紙幣を第１受入部１１０若しくは第２受入部１２０の鑑別部１１２で真贋判定し、真券と判定した紙幣は受入ボックス１１４若しくは受入ボックス１２４に収納する。また、受け付けた両替パターンの指定に基づいて、該指定に対応する紙幣の金種別の枚数を紙幣出金部１３０から払い出し、該指定に対応する硬貨の金種別の枚数を硬貨出金部１４０から払い出す。
【００７３】
また、両替処理部１０７ｃは、出金制御部１０７ｅに払い出すべき紙幣及び硬貨の金種別枚数を含む払出指示を出力することによって、紙幣出金部１３０及び硬貨出金部１４０からの紙幣及び硬貨の払い出しを行う。また、両替処理部１０７ｃは、当該両替の処理の内容を取引履歴データ１０６ｆに登録する。また、取引履歴データ１０６ｆに登録された内容は、管理サーバ３０にも送信される。
【００７４】
カード入出金処理部１０７ｄは、銀行カードを使用した入出金取引を制御する。カード入出金処理部１０７ｄは、銀行カードリーダ１６０で読み取った銀行カードの情報と、表示操作部１０１などから受け付けた入出金取引の内容に基づいて、通信網を経由して接続する銀行のシステムに対する取引要求を送信し、銀行のシステムから該要求に対する応答を取得し、銀行システムの取引許可の応答を受けて、紙幣の入金又は紙幣・硬貨の出金の処理を行う。
【００７５】
カード入出金処理部１０７ｄは、出金においては出金制御部１０７ｅに払い出すべき紙幣及び硬貨の金種別枚数を含む払出指示を出力することによって、紙幣出金部１３０及び硬貨出金部１４０からの紙幣及び硬貨の払い出しを行う。また、カード入出金処理部１０７ｄは、当該銀行カードを使用した入出金取引の内容を取引履歴データ１０６ｆに登録する。また、取引履歴データ１０６ｆに登録された内容は、管理サーバ３０にも送信される。
【００７６】
出金制御部１０７ｅは、払い出すべき紙幣及び硬貨の金種別枚数を含む払出指示を受け付けて、受け付けた払出指示に基づいて紙幣出金部１３０及び硬貨出金部１４０からの紙幣及び硬貨の払い出しの制御を行う。また、出金制御部１０７ｅは、紙幣出金部１３０及び硬貨出金部１４０からの紙幣及び硬貨の払い出しの処理中に、必要な金種のエンプティなどによって払出指示に対応した紙幣及び硬貨の正常な払出が行えない場合には、未払となった内容を失敗レシート発行データ１０６ｇに登録して、該失敗レシート発行データ１０６ｇに登録した内容などを含む失敗レシートをレシートプリンタ１５０で発行する。また、失敗レシート発行データ１０６ｇに登録した内容は、管理サーバ３０にも送信される。
【００７７】
また、出金制御部１０７ｅは、受け付けた払出指示に基づく紙幣出金部１３０及び硬貨出金部１４０からの紙幣及び硬貨の払い出し結果を、対応する取引履歴データ１０６ｆに登録する。また、取引履歴データ１０６ｆに登録された内容は、管理サーバ３０にも送信される。
【００７８】
出金カセット検査部１０７ｆは、出金紙幣収納部１３１に装着された出金カセット１３２に装填されている紙幣の金種が正しいか否かの検査を行う。具体的には、検査対象の出金カセット１３２から、装填されている紙幣を１枚、紙幣取出口１３６に払い出して、払い出された紙幣を第１受入部１１０のチケット挿入口１１１若しくは第２受入部１２０のチケット挿入口１２１で受け付けて、鑑別部１１２若しくは鑑別部１２２で受け付けた紙幣の金種を識別し、検査対象の出金カセット１３２から読み取った装填されているべき紙幣の金種の情報と一致することをもって、検査対象の出金カセット１３２に装填されている紙幣の金種が正しいと判定する。
【００７９】
また、出金カセット検査部１０７ｆは、検査対象の出金カセット１３２に装填されている紙幣の金種の判定結果を、出金カセットデータ１０６ｄに登録されている出金カセット１３２のレコードに反映する。また、出金カセット検査部１０７ｆは、検査対象の出金カセット１３２に装填されている紙幣の金種が正しくないと判定した場合には、少なくとも当該出金カセット１３２の使用の制限を行う。また、出金カセット検査部１０７ｆは、検査対象の出金カセット１３２に装填されている紙幣の金種が正しくないと判定した場合には、在高データ１０６ｅの想定していた金種の払出枚数に加算した内容の取り消しを行う。
【００８０】
出金再処理部１０７ｇは、自身の精算機１００には限らないいずれかの精算機１００で発行された失敗レシートに出力された内容を受け付けて、未払いとなっていた金額に対する紙幣及び貨幣の払い出しの処理を行う。出金再処理部１０７ｇは、出金制御部１０７ｅに払い出すべき紙幣及び硬貨の金種別枚数を含む払出指示を出力することによって、紙幣出金部１３０及び硬貨出金部１４０からの紙幣及び硬貨の払い出しを行う。また、出金再処理部１０７ｇは、当該処理の内容を取引履歴データ１０６ｆに登録する。また、取引履歴データ１０６ｆに登録された内容は、管理サーバ３０にも送信される。
【００８１】
次に、図６に示した精算機１００の実施例１に係るデータ構成を説明する。図７及び図８は、精算機１００の実施例１に係るデータ構成について説明するための説明図である。
【００８２】
図７に示すように、出金カセットパラメータ１０６ａは、カセット装着位置（位置１、位置２、位置３、位置４、位置５）ごとに、金種（１００ドル、５０ドル、２０ドル、１０ドル、５ドル、１ドル）ごとの出金カセット１３２の装着の可否を設定したパラメータである。
【００８３】
図７の出金カセットパラメータ１０６ａの例は、カセット装着する位置が位置１の場合には、１００ドルカセットの装填が可能で、５０ドルカセットの装填が可能で、２０ドルカセットの装填が可能で、１０ドルカセットの装填が不可能で、５ドルカセットの装填が不可能で、１ドルカセットの装填が不可能であることを示している。また、カセット装着する位置が位置２の場合には、１００ドルカセットの装填が不可能で、５０ドルカセットの装填が可能で、２０ドルカセットの装填が可能で、１０ドルカセットの装填が可能で、５ドルカセットの装填が不可能で、１ドルカセットの装填が不可能であることを示している。
【００８４】
また、カセット装着する位置が位置３の場合には、１００ドルカセットの装填が不可能で、５０ドルカセットの装填が可能で、２０ドルカセットの装填が可能で、１０ドルカセットの装填が可能で、５ドルカセットの装填が不可能で、１ドルカセットの装填が不可能であることを示している。
【００８５】
また、カセット装着する位置が位置４の場合には、１００ドルカセットの装填が不可能で、５０ドルカセットの装填が可能で、２０ドルカセットの装填が可能で、１０ドルカセットの装填が可能で、５ドルカセットの装填が可能で、１ドルカセットの装填が可能であることを示している。
【００８６】
また、カセット装着する位置が位置５の場合には、１００ドルカセットの装填が不可能で、５０ドルカセットの装填が不可能で、２０ドルカセットの装填が不可能で、１０ドルカセットの装填が不可能で、５ドルカセットの装填が不可能で、１ドルカセットの装填が可能であることを示している。
【００８７】
図７に示すように、出金カセット検査パラメータ１０６ｂは、出金カセット１３２に装填されている紙幣の金種の検査の自動化のレベルの情報と、該検査によって出金カセット１３２に装填されている紙幣の金種の識別ができなかった時に紙幣の払い出しをリトライするか否かの情報と、該検査の結果を管理サーバ３０に通知するか否かの情報と、該検査の結果、出金カセット１３２に装填されている紙幣の金種が不正で有った場合に当該カセットを除いて縮退運転を行うか否かの情報を設定したるパラメータである。
【００８８】
検査の自動化のレベルの情報は、コード化されたデータであって、「０」は自動で当該検査は行わないことを示し、「１」は出金カセット１３２の新たな装着が検知された場合にはテスト出金を指示することのできる画面を自動で表示することを示し、「２」は出金カセット１３２が新たに１つだけ装填された場合には自動で新たに装着された出金カセット１３２からテスト出金を行うことを示し、「３」は出金カセット１３２が一度に複数装填された場合には、所定の順番で、自動でテスト出金を行うことを示している。
【００８９】
また、縮退運転を行うか否かの情報は、コード化されたデータであって、「０」は縮退運転は行わず装置全体の使用不可とし、「１」は検査で不正となっていない最小金種（例えば１ドル）の出金カセット１３２が存在すれば、検査で装填されている金種が不正となった出金カセット１３２だけを使用不可として縮退運転を可能とすることを示している。
【００９０】
図７の出金カセット検査パラメータ１０６ｂの例は、検査自動化レベルが「１」であり出金カセット１３２の新たな装着が検知された場合にはテスト出金を指示することのできる画面を自動で表示することを示し、金種識別エラー時リトライ有無は「有」であり検査用に払い出した紙幣の金種識別ができなかった場合には紙幣の払い出しをリトライすることを示し、管理サーバ通知有無が「有」であり検査の結果を管理サーバ３０に通知することを示し、金種不正時縮退運転可否は「１」であり、検査で不正となっていない最小金種の出金カセット１３２が存在すれば、検査で装填されている金種が不正となった出金カセット１３２だけを使用不可として縮退運転が可能であるという設定であることを示している。
【００９１】
図７に示すように、受入部パラメータ１０６ｃは、第１受入部１１０及び第２受入部１２０の使い分けを行うか否かの情報と、使い分けを行う場合の使い分けの方法と、使い分けの方法が固定で使い分けを行うという指定の場合の第１受入部１１０及び第２受入部１２０の固定の使い方と、第１受入部１１０及び第２受入部１２０がニアフルになった時の使い分けに係る運用に係る情報とを設定したパラメータである。
【００９２】
第１受入部１１０及び第２受入部１２０は同じ構成をしており、いずれもチケット及び紙幣の受付を行うことが可能である。しかしながら、第１受入部１１０及び第２受入部１２０をいずれもチケット及び紙幣のいずれも受け付けるものとすると、営業終了後に受入ボックス１１４、１２４を回収した場合に、紙幣とチケットが混ざって入っていることになるので、回収額の確認を行う前に紙幣とチケットを分別するという作業が必要となり非効率である。そこで、受入部パラメータ１０６ｃの指定によって、第１受入部１１０及び第２受入部１２０のいずれか一方を紙幣受入専用とし、一方をチケット受入専用とするという使い分けを可能としている。
【００９３】
第１受入部１１０及び第２受入部１２０の使い分けを行う場合の使い分けの方法には「自動」と「固定」がある。「自動」とは、運用開始後に第１受入部１１０又は第２受入部１２０のいずれか一方に最初に挿入されたのが紙幣の場合には、最初に紙幣を受け付けた受入部を紙幣専用とし、他方の受入部をチケット専用とし、運用開始後に第１受入部１１０又は第２受入部１２０のいずれか一方に最初に挿入されたのがチケットの場合には、最初にチケットを受け付けた受入部をチケット専用とし、他方の受入部を紙幣専用とするというものである。また、使い分けの方法が「固定」の場合には、使い分け指定の部分に第１受入部１１０及び第２受入部１２０ごとに「紙幣」又は「チケット」の設定が可能で、設定されたいずれかの媒体のみの受付を可能とする。
【００９４】
また、ニアフル運用はコード化されたデータであって、「０」は受入ボックス１１４、１２４がニアフルになったとしても、規定されている使い分けに準じて運用することを示し、「１」は一方の受入ボックスがニアフルになったならば、以降ニアフルを検知していない方の受入ボックスを紙幣及びチケットの両方を受け付け可能として運用することを示している。
【００９５】
図７の受入部パラメータ１０６ｃの例は、受入部使い分け有無が「有」であって、第１受入部１１０及び第２受入部１２０の使い分けを行い、使い分け指定は「自動」で、ニアフル運用は「１」であり、一方の受入ボックスがニアフルになったならば、以降ニアフルを検知していない方の受入ボックスを紙幣及びチケットの両方を受け付け可能として運用するという設定であることを示している。
【００９６】
図８に示すように、出金カセットデータ１０６ｄは、紙幣出金部１３０に装着された出金カセット１３２に係るデータで、装着した日時及びカセット識別情報に関連付けられた、装着された位置と、装着された出金カセット１３２から取得した装填されているべき金種と、装填した枚数と、装着時に出金カセットパラメータ１０６ａに準じて装着位置のチェックした結果と、装着時に入力部１０２などによって入力されたカセット識別情報と、出金カセット１３２自体から読み取ったカセット識別情報のチェック結果と、装填されている紙幣の金種検査のために払い出した紙幣の枚数と、金種検査で識別された金種と、金種検査の結果と、当該出金カセット１３２の回収日時と、回収時の回収枚数とをレコード項目として有するデータである。
【００９７】
図８の出金カセットデータ１０６ｄの例は、装着日時が「２０１４０４１０  １２：００」に装着されたカセット識別情報が「ＸＹＺ−１０１」の出金カセット１３２は、「位置１」に装着され、出金カセット１３２から読み取った金種は「１００ドル」で、装填枚数は「２０００枚」で、位置チェックの結果は「良」で、識別情報チェックの結果は「良」であり、金種検査のためにテスト出金した枚数は「１」枚で、テスト放出した紙幣の金種を識別した結果は「１００ドル」で、金種検査結果は「良」で、回収日時、回収枚数は未登録でまだ回収されていないことを示している。
【００９８】
図８に示すように、在高データ１０６ｅは、紙幣の出金カセット１３２に係る情報と、硬貨出金ボックスの情報と、受入部の情報とを有するデータである。紙幣の出金カセット１３２に係る情報は、カセット識別情報と金種に関連付けられた、累積補充枚数及び払出枚数をレコード項目とするデータである。カセット識別情報及び金種は、出金カセット１３２から読み取ったデータである。累積補充枚数とは、運用開始時に１回だけ紙幣装填済みの出金カセット１３２を装着した場合は、運用開始時に出金カセット１３２を装着した時に該出金カセット１３２に装填されていた枚数に等しい。運用途中で出金カセット１３２を一旦取り外して、同じ出金カセット１３２に紙幣を補充して再装着した場合には、その累計の枚数となる。払出枚数は運用開始してから当該出金カセット１３２から払い出された紙幣の累計枚数である。
【００９９】
硬貨出金ボックスの情報は、硬貨出金ボックスに対する補充された累積金額と、当該硬貨出金ボックスから払い出された金額を有する。また、受入部の情報は、受入部ごとに受入ボックス１１４、１２４に収納されたチケット枚数と、収納した紙幣の金額とを有する。
【０１００】
図８の在高データ１０６ｅの例は、紙幣の出金カセット１３２に係る情報には、カセット識別情報が「ＸＹＺ−１０１」で金種が「１００ドル」の出金カセット１３２は、累積補充枚数が「２０００枚」で、払出枚数が「５２０枚」であることを示す情報が含まれ、硬貨出金ボックスの情報は、累積補充金額が「１０００ドル」で払い出し金額が「３００ドル」で、受入部の情報には、第１受入部１１０にはチケット「８０枚」と、紙幣「２５０」ドルが収納されていることを示す情報が含まれていることを示している。
【０１０１】
図８に示すように、取引履歴データ１０６ｆは、取引通番に関連づけられた取引区分と、処理を実施した日時と、チケット精算の取引であった場合のチケット番号と、第１受入部１１０及び第２受入部１２０で受け付けた紙幣額である入金金額と、紙幣出金部１３０及び硬貨出金部１４０に払い出しの指示をした紙幣及び硬貨の合計金額である出金指示金額と、その実績である出金実績金額などとをレコードの項目とするデータである。
【０１０２】
取引通番は、精算機１００の識別情報と取引のシーケンス番号で構成される番号であり、カジノ全体でユニークに識別可能な番号である。取引区分は、コード化されたデータであって、「１」はチケットの精算の取引であり、「２」は両替の取引であり、「３」は銀行カードによる入金取引であり、「４」は銀行カードによる出金取引であり、「９」は出金失敗時に発行される失敗レシートに基づく再出金取引であることを示す。出金指示金額と出金実績金額は、当該取引が正常に終了していれば同じ値となるが、障害などによって正常に完了できなかった場合には出金実績金額は出金指示金額未満の値になることがある。
【０１０３】
図８の取引履歴データ１０６ｆの１レコード目の例は、取引通番「ａｂ０１２３」の取引は、取引区分が「２」の両替の取引で、処理を実施した日時が「２０１４０４１０  ２１：００」で、入金金額が「１００」ドルで、出金指示金額が「１００」ドルで、出金実績金額が「１００」ドルであることを示している。また、２レコード目の例は、取引通番「ａｂ０１２４」の取引は、取引区分が「１」のチケットの精算取引で、処理を実施した日時が「２０１４０４１０  ２１：０５」で、処理対象のチケット番号が「１８−００１０」で、出金指示金額が「２５０」ドルで、出金実績金額が「０」ドルで、払い出しが正常終了しなかったことを示している。
【０１０４】
図８に示すように、失敗レシート発行データ１０６ｇは、当該精算機１００で発行した失敗レシートの発行の履歴を示すデータであって、レシート通番に関連付けられた、払い出し処理を失敗した取引に対応する取引通番と、当該失敗レシートの発行日時と、パスワードと、払い出し失敗した金額などとをレコード保有項目とするデータである。パスワードとは、失敗レシート発行時に遊技客によって入力されたもので、再出金の取引を行う場合に必要となる。失敗レシートには、失敗レシート発行データ１０６ｇに記憶されるパスワードを除く情報が出力される。
【０１０５】
図８の失敗レシート発行データ１０６ｇの例は、レシート通番が「ｄｅ０１０２」の、払い出しの失敗取引は、取引通番が「ａｂ０１２４」の取引であって、失敗レシートが発行された日時は「２０１４０４１０  ２１：０６」であって、パスワードが「１２３４」で、金額が「２５０」ドルであることを示している。
【０１０６】
次に、図２に示したチケットサーバ２０の実施例１に係る機能的な内部構成を説明する。図９は、チケットサーバ２０の実施例１に係る機能的な内部構成を示す機能ブロック図である。図９に示すように、チケットサーバ２０は、液晶ディスプレイなどの表示部２１と、マウス及びキーボードなどの入力部２２と、スロットマシン１０、精算機１００及び集計端末４０とデータ通信を行う通信部２３と、記憶部２４と、制御部２５とを有している。
【０１０７】
記憶部２４は、ハードディスク装置や不揮発性メモリ等の記憶デバイスであり、チケットデータ２４ａを有する。チケットデータ２４ａは、スロットマシン１０で発行されたチケットに係る情報である。また、チケットデータ２４ａには、精算機１００で精算が既に行われた否かなどの状態に係る情報を含んでいる。
【０１０８】
制御部２５は、チケットサーバ２０の全体を制御する制御部であり、チケット情報管理部２５ａ及びチケット情報照会処理部２５ｂを有する。実際には、これらの機能部に対応するプログラムを図示しないＲＯＭや不揮発性メモリに記憶しておき、これらのプログラムをＣＰＵにロードして実行することにより、それぞれ対応するプロセスを実行させることになる。
【０１０９】
チケット情報管理部２５ａは、チケットデータ２４ａの登録更新の管理を行う処理部である。チケット情報管理部２５ａは、スロットマシン１０から、チケット番号、発行日時、賞金額などの情報を含むチケット発行通知を受け付けたならば受け付けた内容を、チケットデータ２４ａに登録する。また、チケット情報管理部２５ａは、精算機１００からチケット番号を含むチケット精算処理の結果を受付けたならば、受け付けたチケット通番に対応するチケットデータ２４ａのレコードの状態の更新を行う。また、チケット情報管理部２５ａは、集計端末４０から、チケット通番を含む消込要求を受け付けたならば、受け付けたチケット通番に対応するチケットデータ２４ａのレコードの状態を消込済に更新を行う。
【０１１０】
チケット情報照会処理部２５ｂ、チケットデータ２４ａに関する各種照会の要求を受け付けて、要求に応じた照会結果を出力する。これによって、チケットサーバ２０で管理するチケットの状態の照会を行うことが可能である。
【０１１１】
次に、図９に示したチケットサーバ２０の実施例１に係るデータ構成を説明する。図１０は、チケットサーバ２０の実施例１に係るデータ構成について説明するための説明図である。
【０１１２】
チケットデータ２４ａは、チケット番号に関連付けられた、チケットの状態と、チケットの発行日時と、賞金額と、当該チケットの精算日時と、当該チケットが既に精算済である場合の精算機１００の識別情報とをレコード項目とするデータである。チケット番号は、チケットを発行したスロットマシン１０の識別情報と、該スロットマシン１０ごとの一連番号で構成される番号であり、カジノ内でユニークに識別可能な番号である。また、状態はコード化されたデータであって、「０」はチケットの発行が行われてまだ精算が行われていない発行済であることを示し、「１」は精算処理を行おうとしたが正常に完了していない精算未完で有ることを示し、「２」は精算が終了済みである精算済であることを示し、「３」は、消込要求に基づく消込済であることを示す。
【０１１３】
図１０のチケットデータ２４ａの例は、チケット番号が「２０−００１０」のチケットは、状態は「２」で有り精算済で、チケットが発行された日時は「２０１４０４１０  １８：３０」であり、賞金額が「２５０」ドルで、精算日時が「２０１４０４１０  ２１：０５」で、精算が行われた精算機１００の識別情報が「ａｂ」であることを示している。
【０１１４】
次に、図２に示した管理サーバ３０の実施例１に係る機能的な内部構成を説明する。図１１は、管理サーバ３０の実施例１に係る機能的な内部構成を示す機能ブロック図である。図１１に示すように、管理サーバ３０は、液晶ディスプレイなどの表示部３１と、マウス及びキーボードなどの入力部３２と、精算機１００及び集計端末４０などとデータ通信を行う通信部３３と、記憶部３４と、制御部３５とを有している。
【０１１５】
記憶部３４は、ハードディスク装置や不揮発性メモリ等の記憶デバイスであり、紙幣出金カセットデータ３４ａと、硬貨出金ボックスデータ３４ｂと、受入ボックスデータ３４ｃと、取引履歴データ３４ｄと、失敗レシートデータ３４ｅとを有する。
【０１１６】
紙幣出金カセットデータ３４ａは、精算機１００に装着する出金カセット１３２ごとの装着前に装填した枚数や、回収時に残っていた枚数等の情報を含むデータである。硬貨出金ボックスデータ３４ｂは、精算機１００に装着する硬貨出金ボックスごとの装着前に装填した硬貨の金種別の枚数や、回収時に残っていた硬貨の金種別の枚数等の情報を含むデータである。受入ボックスデータ３４ｃは、精算機１００から回収した受入ボックス１１４、１２４ごとに回収されたチケット枚数や回収された紙幣の金額などの情報を含むデータである。
【０１１７】
取引履歴データ３４ｄは、カジノ内の全ての精算機１００から送信されてきた取引履歴の情報を登録したデータであり、カジノ内の全ての精算機１００で行われた全ての取引の内容が蓄積されている。失敗レシートデータ３４ｅは、カジノ内の全ての精算機１００から送信されてきた失敗レシートの情報を管理するデータである。
【０１１８】
制御部３５は、紙幣出金カセット管理部３５ａと、硬貨出金ボックス管理部３５ｂと、受入ボックス管理部３５ｃと、取引履歴管理部３５ｄと、失敗レシート管理部３５ｅと、集計精査処理部３５ｆとを有する。実際には、これらの機能部に対応するプログラムを図示しないＲＯＭや不揮発性メモリに記憶しておき、これらのプログラムをＣＰＵにロードして実行することにより、それぞれ対応するプロセスを実行させることになる。
【０１１９】
紙幣出金カセット管理部３５ａは、紙幣出金カセットデータ３４ａの管理を行う処理部である。具体的には、紙幣出金カセット管理部３５ａは、集計端末４０からの出金カセット１３２への紙幣の装填結果である出金カセット装填通知を受け付けて、紙幣出金カセットデータ３４ａに受け付けた出金カセット装填通知の情報を登録する。また、紙幣出金カセット管理部３５ａは、集計端末４０からの出金カセット１３２の回収結果である出金カセット回収通知を受け付けて、出金カセット回収通知に含まれる情報に基づいて、回収した出金カセット１３２に対応する紙幣出金カセットデータ３４ａのレコードの回収した紙幣の枚数の情報などを更新する。
【０１２０】
硬貨出金ボックス管理部３５ｂは、硬貨出金ボックスデータ３４ｂの管理を行う処理部である。具体的には、硬貨出金ボックス管理部３５ｂは、集計端末４０からの硬貨出金ボックスの装填結果である硬貨出金ボックス装填通知を受け付けて、硬貨出金ボックスデータ３４ｂに受け付けた硬貨出金ボックス装填通知の情報を登録する。また、硬貨出金ボックス管理部３５ｂは、集計端末４０からの硬貨出金ボックスの回収結果である硬貨出金ボックス回収通知を受け付けて、硬貨出金ボックス回収通知に含まれる情報に基づいて、回収した硬貨出金ボックスに対応する硬貨出金ボックスデータ３４ｂのレコードの回収した硬貨の金種別の枚数の情報などを更新する。
【０１２１】
受入ボックス管理部３５ｃは、受入ボックスデータ３４ｃの管理を行う処理部である。具体的には、受入ボックス管理部３５ｃは、集計端末４０からの受入ボックス１１４、１２４の回収結果である受入ボックス回収通知を受け付けて、受入ボックスデータ３４ｃに受け付けた受入ボックス回収通知の情報を登録する。
【０１２２】
取引履歴管理部３５ｄは、取引履歴データ３４ｄの管理を行う処理部である。具体的には、カジノ内の全ての精算機１００から送信されてくる取引履歴の情報を取引履歴データ３４ｄに登録する。
【０１２３】
失敗レシート管理部３５ｅは、失敗レシートデータ３４ｅを管理する処理部である。具体的には、カジノ内の全ての精算機１００から送信されてくる失敗レシート発行に関する情報を受け付けて受け付けた内容に基づいて失敗レシートデータ３４ｅの登録を行う。また、失敗レシート管理部３５ｅは、カジノ内の全ての精算機１００から送信されてくる取引履歴の情報の中の、失敗レシートに基づく出金失敗に対する再出金の取引履歴に基づいて関連する失敗レシートデータ３４ｅの対応するレコードの内容の更新を行う。
【０１２４】
集計精査処理部３５ｆは、集計端末４０などからの要求に基づいて、各種集計及び精査の処理を行う。具体的には、集計精査処理部３５ｆは、紙幣出金カセットデータ３４ａ及び硬貨出金ボックスデータ３４ｂの情報に基づいて、精算機１００ごとの補充した紙幣及び硬貨の合計金額を集計して、精算機１００ごとの補充集計結果を生成する。また、集計精査処理部３５ｆは、紙幣出金カセットデータ３４ａ、硬貨出金ボックスデータ３４ｂ及び受入ボックスデータ３４ｃの情報に基づいて、精算機１００ごとの回収した紙幣及び硬貨の合計金額を集計して、精算機１００ごとの回収集計結果を生成する。また、集計精査処理部３５ｆは、取引履歴データ３４ｄに基づいて、精算機１００ごとの受け入れた紙幣の金額、払い出した紙幣及び硬貨の金額の集計である、精算機１００ごとの取引集計結果を生成する。また、集計精査処理部３５ｆは、精算機１００ごとの補充集計結果、回収精算結果及び取引集計結果の整合性の確認可能な一覧の出力を行う精査処理を行う。集計精査処理部３５ｆは、精査処理が終了したならば、精査に関連した紙幣出金カセットデータ３４ａと、硬貨出金ボックスデータ３４ｂと、受入ボックスデータ３４ｃと、取引履歴データ３４ｄの集計対象となった全てのレコードを精査済の状態に更新する。
【０１２５】
次に、図１１に示した管理サーバ３０の実施例１に係るデータ構成を説明する。図１２は、管理サーバ３０の実施例１に係るデータ構成について説明するための説明図である。
【０１２６】
紙幣出金カセットデータ３４ａは、出金カセット１３２に紙幣を装填した日時である装填日時と、出金カセット１３２の識別情報とに関連付けられた、該出金カセット１３２に装填した紙幣の金種と、紙幣の装填枚数と、該出金カセット１３２装着した精算機１００の識別情報と、該出金カセット１３２の回収時に残っていた紙幣枚数と、回収日時と、精算フラグとをレコード保有項目とするデータである。
【０１２７】
図１２の紙幣出金カセットデータ３４ａは、装填日時が「２０１４０４１０  １２：００」に、出金カセット識別情報が「ＸＹＺ−１０１」の出金カセット１３２に、金種が「１００ドル」の紙幣を、「２０００」枚装填し、識別情報が「ａｂ」の精算機１００に装着され、まだ精査済でないということ示すレコードが含まれているという例である。
【０１２８】
硬貨出金ボックスデータ３４ｂは、硬貨出金ボックスに硬貨を装填した日時である装填日時と、硬貨出金ボックスの識別情報とに関連付けられた、該硬貨出金ボックスに装填した硬貨の金種別の装填枚数と、該硬貨出金ボックスを装着した精算機１００の識別情報と、該硬貨出金ボックスの回収時に残っていた硬貨の金種別の枚数と、回収日時と、精査フラグとをレコード保有項目とするデータである。
【０１２９】
図１２の硬貨出金ボックスデータ３４ｂは、装填日時が「２０１４０４１０  １２：１０」に、硬貨出金ボックス識別情報が「ＰＱＲ−００１」の硬貨出金ボックスに、１０セント硬貨を「２０００」枚、５セント硬貨を「２０００」枚装填し、その状態で識別情報が「ａｂ」の精算機１００に装着され、まだ精査済でないということ示すレコードが含まれているという例である。
【０１３０】
受入ボックスデータ３４ｃは、回収された受入ボックス１１４、１２４の識別情報に関連付けられた、回収元の精算機１００の識別情報と、回収された受入ボックス１１４、１２４に収納されていたチケットの枚数と、受入ボックス１１４、１２４に収納されていた紙幣の金額と、回収日時と、精査フラグとをレコード保有項目とするデータである。
【０１３１】
図１２の受入ボックスデータ３４ｃは、識別情報が「ＰＱＲ−００１」の受入ボックス１１４、１２４が、識別情報が「ａｂ」の精算機１００から回収され、回収された受入ボックス１１４、１２４に収納されていたチケットの枚数が「１５０」枚で、受入ボックス１１４、１２４に収納されていた紙幣の金額が「４８０」ドルで、回収日時が「２０１４０４０９  ２３：３０」で、精査済であることを示すレコードが含まれているという例である。
【０１３２】
取引履歴データ３４ｄは、取引通番に関連づけられた取引区分と、処理を実施した日時と、チケット精算の取引であった場合のチケット番号と、第１受入部１１０及び第２受入部１２０で受け付けた紙幣額である入金金額と、紙幣出金部１３０及び硬貨出金部１４０に払い出しの指示をした紙幣及び硬貨の合計金額である出金指示金額と、その実績である出金実績金額と、精査フラグなどとをレコードの項目とするデータである。取引区分は、図８に示した取引履歴データ１０６ｆの取引区分と同じである。
【０１３３】
図１２の取引履歴データ３４ｄの１レコード目の例は、取引通番「ａｂ０１２３」の取引は、取引区分が「２」の両替の取引で、処理を実施した日時が「２０１４０４１０  ２１：００」で、入金金額が「１００」ドルで、出金指示金額が「１００」ドルで、出金実績金額が「１００」ドルで、精査済みでないことを示している。また、２レコード目の例は、取引通番「ｃｄ０１８５」の取引は、取引区分が「１」のチケット精算の取引で、処理を実施した日時が「２０１４０４１０  ２１：０３」で、チケット番号が「２３−００１５」で、出金指示金額が「４００」ドルで、出金実績金額が「４００」ドルで、精査済みでないことを示している。
【０１３４】
失敗レシートデータ３４ｅは、発行された失敗レシートのレシート通番に関連付けられた払い出し処理を失敗した取引に対応する取引通番と、当該失敗レシートの発行日時と、パスワードと、払い出し失敗した金額と、当該失敗レシートに基づいて再出金処理を実施した精算機１００の識別情報と、該再出金処理を行った日時と、再出金で払い出された金額とをレコード保有項目とするデータである。
【０１３５】
図１２の失敗レシートデータ３４ｅは、レシート通番が「ｄｅ０１０２」の、払い出しの失敗取引は、取引通番が「ａｂ０１２４」の取引であって、失敗レシートが発行された日時は「２０１４０４１０  ２１：０６」であって、パスワードが「１２３４」で、金額が「２５０」ドルであり、当該失敗レシートに基づいて識別情報が「ｃｄ」の精算機１００で、日時「２０１４０４１０  ２１：３０」に再出金処理が行われ、再出金で「２５０」ドルが払い出されたということ示すレコードが含まれているという例である。
【０１３６】
次に、図２に示した集計端末４０の実施例１に係る機能的な内部構成を説明する。図１３は、集計端末４０の実施例１に係る機能的な内部構成を示す機能ブロック図である。図１３に示すように、集計端末４０は、液晶ディスプレイなどの表示部４１と、マウス及びキーボードなどの入力部４２と、チケットサーバ２０及び管理サーバ３０とデータ通信を行う通信部４３と、バーコードリーダ４４と、記憶部４５と、制御部４６とを有している。
【０１３７】
記憶部４５は、ハードディスク装置や不揮発性メモリ等の記憶デバイスであり、受入チケットデータ４５ａを有する。受入チケットデータ４５ａは、受入ボックス１１４、１２４を回収することによって、収集された処理済みのチケットに関するデータである。
【０１３８】
制御部４６は、集計端末４０の全体を制御する制御部であり、紙幣出金カセット情報入力部４６ａ、硬貨出金ボックス情報入力部４６ｂ、受入ボックス情報入力部４６ｃ、チケットデータ入力部４６ｄ及び精査処理部４６ｅを有する。実際には、これらの機能部に対応するプログラムを図示しないＲＯＭや不揮発性メモリに記憶しておき、これらのプログラムをＣＰＵにロードして実行することにより、それぞれ対応するプロセスを実行させることになる。
【０１３９】
紙幣出金カセット情報入力部４６ａは、出金カセット１３２のカセット識別情報と、該出金カセット１３２に装填した紙幣の金種と、該出金カセット１３２に装填した紙幣の枚数とを受け付けて、受け付けた内容を含む出金カセット装填通知を管理サーバ３０に送信する。また、紙幣出金カセット情報入力部４６ａは、精算機１００から回収された出金カセット１３２ごとに、出金カセット１３２のカセット識別情報と、該出金カセット１３２に収納されて回収された金種別の紙幣の枚数の入力を受け付けて、受け付けた内容を含む出金カセット回収通知を管理サーバ３０に送信する。
【０１４０】
硬貨出金ボックス情報入力部４６ｂは、硬貨出金ボックスの識別情報と、該硬貨出金ボックスに装填した硬貨の金種別の枚数とを受け付けて、受け付けた内容を含む硬貨出金ボックス装填通知を管理サーバ３０に送信する。また、硬貨出金ボックス情報入力部４６ｂは、精算機１００から回収された硬貨出金ボックスごとに、硬貨出金ボックスの識別情報と、該硬貨出金ボックスに収納されて回収された硬貨の金種別の枚数の入力を受け付けて、受け付けた内容を含む硬貨出金ボックス回収通知を管理サーバ３０に送信する。
【０１４１】
受入ボックス情報入力部４６ｃは、精算機１００から回収された受入ボックス１１４、１２４ごとに受入ボックス１１４、１２４の識別情報と、該受入ボックス１１４、１２４に収納されて回収されたチケットの枚数と、紙幣の金額とを受け付けて、受け付けた内容を含む受入ボックス回収通知を管理サーバ３０に送信する。
【０１４２】
チケットデータ入力部４６ｄは、精算機１００から回収された受入ボックス１１４、１２４に収納されて回収されたチケットを、バーコードリーダ４４で１枚ずつ読み取って、読み取ったチケット番号を含む内容を、受入チケットデータ４５ａに登録する。また、チケットデータ入力部４６ｄは、受入チケットデータ４５ａに登録した内容をチケットサーバ２０にも送信することによってチケットサーバ２０に、回収済のチケットの情報である消込要求を送信する。
【０１４３】
精査処理部４６ｅは、各種集計及び精査の指示を受け付けて管理サーバ３０に各種集計及び精査の処理要求を行う。
【０１４４】
次に、図２に示した精算機１００の実施例１に係る画面構成について、図１４を用いて説明する。
【０１４５】
図１４（ａ）は、精算機１００の出金紙幣収納部１３１の位置４及び位置５に新たに出金カセット１３２の装着を検知した場合に表示される画面の表示例である。画面の上部には、新たに装着した出金カセット１３２の情報の入力を行う旨及びその情報入力対象のカセットを選択する旨のメッセージが表示される。また、該メッセージの下には、位置１に装着したカセットを指示するための「カセット＃１」ボタンと、位置２に装着したカセットを指示するための「カセット＃２」ボタンと、位置３に装着したカセットを指示するための「カセット＃３」ボタンと、位置４に装着したカセットを指示するための「カセット＃４」ボタンと、位置５に装着したカセットを指示するための「カセット＃５」ボタンとが配置される。ただし、新たに出金カセット１３２が装着されたのが位置４及び位置５であることから、位置１、位置２及び位置３のボタンは選択不可でありグレーダウンされている。
【０１４６】
図１４（ｂ）は、図１４（ａ）で「カセット＃５」ボタンが押下されたときに表示される画面の例である。画面上部には、カセット情報の入力用の画面であることが表示される。また、２行目には、図１４（ａ）で選択されたボタンの名称である「カセット＃５」が表示される、３行目には、「カセット＃５」に対する位置５に装着された出金カセット１３２から取得した当該出金カセット１３２に装填されるべき紙幣の金種の情報が表示される。また、画面中央には、当該出金カセット１３２のカセット識別情報と、当該出金カセット１３２に装填済みの紙幣の枚数を入力するための項目が表示される。
【０１４７】
入力部１０２などの操作によって、カセット識別情報及び装填済みの紙幣の枚数の入力を受け付けたならば、補充・回収処理部１０７ａは、入力されたカセット識別番号と、出金カセット１３２から取得したカセット識別情報の一致チェックを行う。カセット識別番号の入力をあえて行わせるのは、出金カセット１３２を装填すべき精算機１００の誤りや、装着した位置の誤りを防止することを目的としている。また、装填済みの紙幣の枚数は、入力部１０２などによって受け付けた枚数を正として、出金カセットデータ１０６ｄや在高データ１０６ｅの更新に使用される。
【０１４８】
図１４（ａ）及び（ｂ）による出金カセット１３２の受付が行われると、図１４（ｃ）に示すテスト出金画面が表示される。図１４（ｃ）の画面は、テスト出金を行う出金カセット１３２を選択するための画面で、選択可能な出金カセット１３２は対応するボタンが操作可能で、出金テストが既に行われている出金カセット１３２や、出金カセット１３２が装着されていない位置に対応するボタンは選択不可でありグレーダウンされている。
【０１４９】
図１４（ｃ）の画面の例は、位置４及び位置５に対応する出金カセット１３２からのテスト出金が可能であることを示している。図１４（ｃ）の画面で、「カセット＃５」を押下したならば、「カセット＃５」に対応する位置５に装着された出金カセット１３２から１枚の紙幣の払い出しが行われる。このようにして払い出された紙幣を、チケット挿入口１１１、１２１で受け付けて、受け付けた紙幣の金種を鑑別部１１２、１２２で判別して、該出金カセット１３２から取得した装填されるべき紙幣の金種の情報との一致を検証することによって、テスト出金対象の出金カセット１３２の金種検査とする。
【０１５０】
図１４（ｄ）は、図１４（ｃ）の画面で「カセット＃５」を押下されることによって位置５に装着された出金カセット１３２の金種検査の結果を表示した画面の例であり、カセット＃５に対して「良」が強調されて表示され、検査の結果、装填されている紙幣の金種が正しいと判定されたことを示している。検査の結果が、装填されている紙幣の金種が正しくないと判定された場合には、「不良」が強調されて表示される。
【０１５１】
次に、実施例１に係る精算機１００における出金カセット１３２の装着時の処理から、装着された出金カセット１３２からの紙幣の払い出し処理及び装着された出金カセット１３２に装填された紙幣の金種の確認処理までの一連の処理の処理手順を、図１５に示すフローチャートを用いて説明する。
【０１５２】
補充・回収処理部１０７ａは、出金紙幣収納部１３１の位置１〜位置５のいずれかに新たに出金カセット１３２が装着が検知されたならば、装着が検知されたそれぞれの出金カセット１３２からカセット識別情報及び金種の情報を読み取って、出金カセットデータ１０６ｄにそれぞれの出金カセット１３２の情報を追加登録する（ステップＳ１０１）。また、補充・回収処理部１０７ａは、装着を検知した位置と、それぞれの位置に装着が検知された出金カセット１３２から取得した金種と、出金カセットパラメータ１０６ａに基づいて、それぞれの出金カセット１３２の装着位置が正しいか否かの判定を行い、それぞれの判定結果を出金カセットデータ１０６ｄの対応するレコードの位置チェックの項目に、装着位置が正しい場合には「良」、正しくない場合には「不良」の情報を登録する（ステップＳ１０２）。
【０１５３】
いずれかの出金カセット１３２の装着する位置が正しくない場合（ステップＳ１０３；Ｎｏ）には、補充・回収処理部１０７ａは、装着したいずれかの出金カセット１３２の位置が誤っている旨のメッセージの表示を行って（ステップＳ１０４）、処理を終了する。
【０１５４】
また、新たに装着された全ての出金カセット１３２の装着位置が正しい場合（ステップＳ１０３；Ｙｅｓ）には、補充・回収処理部１０７ａは、図１４（ａ）及び図１４（ｂ）に示した画面による新たに装填された出金カセット１３２のカセット識別情報及び該出金カセット１３２に装填された紙幣枚数の入力を受け付けて、装填された紙幣枚数を出金カセットデータ１０６ｄの対応するレコードの装填枚数の項目に登録し（ステップＳ１０５）、出金カセット１３２から取得したカセット識別情報と、図１４（ｂ）の入力によって受け付けたカセット識別情報とのチェックを行う（ステップＳ１０６）。
【０１５５】
出金カセット１３２から取得したカセット識別情報と、図１４（ｂ）の入力によって受け付けたカセット識別情報とが不一致の場合（ステップＳ１０６；Ｎｏ）には、補充・回収処理部１０７ａは、入力された出金カセット１３２のカセット識別情報が不一致である旨のメッセージの表示を行う（ステップＳ１０７）。そして、カセット識別情報の再入力を行うという選択を受け付けたならば（ステップＳ１０８；Ｙｅｓ）、ステップＳ１０５に戻る。また、カセット識別情報の再入力を行わないという選択を受け付けたならば（ステップＳ１０８；Ｎｏ）、補充・回収処理部１０７ａは、出金カセットデータ１０６ｄの対応するレコードの識別情報チェックの項目に「不良」を示す情報を登録して（ステップＳ１０９）、ステップＳ１１３に移行する。
【０１５６】
出金カセット１３２から取得したカセット識別情報と、図１４（ｂ）の入力によって受け付けたカセット識別情報とが一致している場合（ステップＳ１０６；Ｙｅｓ）には、補充・回収処理部１０７ａは、出金カセットデータ１０６ｄの対応するレコードの識別情報チェックの項目に「良」を示す情報を登録して（ステップＳ１１０）、該出金カセットデータ１０６ｄの対応するレコードの装填枚数を、在高データ１０６ｅの紙幣出金カセットの情報の対応するカセット識別情報の累計補充枚数に加算する（ステップＳ１１１）。また、補充・回収処理部１０７ａは、対応する出金カセット１３２が正しく装着されたことを管理サーバ３０に送信する（ステップＳ１１２）。
【０１５７】
カセット識別情報及び装填枚数の入力が行われていない他の出金カセット１３２が存在する場合（ステップＳ１１３；Ｙｅｓ）には、ステップＳ１０５に移行する。カセット識別情報及び装填枚数の入力が行われていない出金カセット１３２がなく（ステップＳ１１３；Ｎｏ）、新たに装着が検知された出金カセット１３２のうち、出金カセットデータ１０６ｄの対応するレコードの識別情報チェックの項目に「良」が登録された、受け入れが可能と判定された出金カセット１３２がある場合（ステップＳ１１４；Ｙｅｓ）には、出金カセット検査部１０７ｆは、当該出金カセット１３２に装填されている紙幣の金種の検査を行う（ステップＳ１１５）。また、受け入れが可能と判定された出金カセット１３２がない場合（ステップＳ１１４；Ｎｏ）には、出金カセット１３２の金種の検査を行わずにステップＳ１１６に移行する。
【０１５８】
また、補充・回収処理部１０７ａは、ステップＳ１０６のカセット識別情報のチェック処理において、出金カセット１３２から取得したカセット識別情報と、図１４（ｂ）の入力によって受け付けたカセット識別情報とが不一致となった不正なカセットがあった場合（ステップＳ１１６；Ｙｅｓ）には、当該カセットの装着されている位置の情報等を含む、当該位置に装着されている出金カセット１３２に装填されている金種が不正であり、確認が必要である旨のメッセージの表示を行って（ステップＳ１１７）、処理を終了する。ステップＳ１０６のカセット識別情報のチェック処理において、出金カセット１３２から取得したカセット識別情報と、図１４（ｂ）の入力によって受け付けたカセット識別情報とが不一致となった不正なカセットがなかった場合（ステップＳ１１６；Ｎｏ）には、ステップ１１７の処理は行わずに処理を終了する。
【０１５９】
次に、図１５に示した新たに装着された出金カセット１３２に装填された紙幣の金種の検査である金種検査処理（ステップＳ１１５）の詳細な処理手順を、図１６に示すフローチャートを用いて説明する。
【０１６０】
出金カセット検査部１０７ｆは、新たに装着されたことが検知された出金カセット１３２に応じた、図１４（ｃ）に示したテスト出金画面を表示操作部１０１に表示して、テスト出金対象の出金カセット１３２の指定の入力を受け付ける（ステップＳ２０１）。ステップＳ２０１で表示したテスト出金画面において、テスト出金の対象の出金カセット１３２の指定を受け付けた場合（ステップＳ２０２；Ｙｅｓ）には、指定された出金カセット１３２から紙幣を１枚払い出す（ステップＳ２０３）。ステップＳ２０１で表示したテスト出金画面において、テスト出金の対象の出金カセット１３２の指定を受け付けていない場合（ステップＳ２０２；Ｎｏ）には、ステップＳ２０１に戻ることによって、テスト出金の対象の出金カセット１３２の指定の受付の待ち合わせを行う。
【０１６１】
次に、第１受入部１１０のチケット挿入口１１１若しくは第２受入部１２０のチケット挿入口１２１で紙幣をまだ受け付けていなくて（ステップＳ２０４；Ｎｏ）、ステップＳ２０３による紙幣の払い出しから所定時間をまだ経過していない場合（ステップＳ２０５；Ｎｏ）には、ステップＳ２０４に戻ることによって第１受入部１１０のチケット挿入口１１１若しくは第２受入部１２０のチケット挿入口１２１での紙幣の受付の待ち合わせを行う。また、ステップＳ２０３による紙幣の払い出しから所定時間を経過している場合（ステップＳ２０５；Ｙｅｓ）には、出金カセット検査部１０７ｆは、第１受入部１１０のチケット挿入口１１１若しくは第２受入部１２０のチケット挿入口１２１への紙幣挿入の促進のメッセージを表示して（ステップＳ２０６）、ステップＳ２０４に戻る。
【０１６２】
第１受入部１１０のチケット挿入口１１１若しくは第２受入部１２０のチケット挿入口１２１で紙幣を受け付けた場合（ステップＳ２０４；Ｙｅｓ）には、出金カセット検査部１０７ｆは、鑑別部１１２、１２２で挿入された紙幣の金種の識別処理を行う（ステップＳ２０７）。ステップＳ２０７の金種識別処理において金種が識別されて（ステップＳ２０８；Ｙｅｓ）、判別された金種が紙幣の払い出し元の出金カセット１３２から読み取った金種と一致することによって当該出金カセット１３２に装填された紙幣の金種が正しいと判定された場合（ステップＳ２０９；Ｙｅｓ）には、出金カセット検査部１０７ｆは、出金カセットデータ１０６ｄの対応するレコードの検査枚数にはステップＳ２０３で払い出した紙幣の枚数、検査結果金種にはステップＳ２０７の金種識別処理の結果、金種検査結果には装填されている紙幣の金種が正しかったことを示す「良」を登録して（ステップＳ２１０）、ステップＳ２１４に移行する。
【０１６３】
当該出金カセット１３２に装填された紙幣の金種が正しくないと判定された場合（ステップＳ２０９；Ｎｏ）には、出金カセット検査部１０７ｆは、出金カセットデータ１０６ｄの対応するレコードの検査枚数にはステップＳ２０３で払い出した紙幣の枚数、検査結果金種にはステップＳ２０７の金種識別処理の結果、金種検査結果には装填されている紙幣の金種が正しくなかったことを示す「不良」を登録して（ステップＳ２１１）、ステップ２１４に移行する。金種検査結果に「不良」があった場合は、図７の出金カセット検査パラメータ１０６ｂで説明した通り、出金カセット検査パラメータ１０６ｂの金種不正時縮退運転可否の設定に従って、装置全体を運用不可とするか、「不良」と判定したカセットのみを運用不可として他のカセットを運用可とする縮退運用を行う。
【０１６４】
また、ステップＳ２０７の金種識別処理において金種が判別できなかった（ステップＳ２０８；Ｎｏ）場合で、出金カセット検査パラメータ１０６ｂの金種識別エラー時リトライ有無が「有」の指定となっている場合（ステップＳ２１２；Ｙｅｓ）には、ステップＳ２０３に戻ることによって、紙幣の払い出しをリトライする。また、出金カセット検査パラメータ１０６ｂの金種識別エラー時リトライ有無が「無」の指定となっている場合（ステップＳ２１２；Ｎｏ）には、出金カセットデータ１０６ｄの対応するレコードの検査枚数にはステップＳ２０３で払い出した紙幣の枚数、検査結果金種には金種が識別できなかった旨、金種検査結果には装填されている紙幣の金種が正しいか否か不明であることを示す「不明」を登録して（ステップＳ２１３）、ステップ２１４に移行する。また、出金カセット検査部１０７ｆは、ステップＳ２１０、ステップＳ２１１及びステップＳ２１３において、出金カセット検査パラメータ１０６ｂに金種検査結果をサーバに送信するという設定になっている場合には、検査を行った出金カセット１３２のカセット識別情報、検査枚数、検査結果金種及び金種検査結果等の情報を通知する。
【０１６５】
新たに装着された出金カセット１３２のなかで、金種検査がまだ行われていない出金カセット１３２が有る場合（ステップＳ２１４；Ｙｅｓ）には、ステップＳ２０１に戻る。また、新たに装着された全ての出金カセット１３２に対して、金種検査が行われた場合（ステップＳ２１４；Ｎｏ）には、処理を終了する。
【０１６６】
上述してきたように、新たな出金カセット１３２の装着を検知して、テスト出金を指示することができる画面を表示して、装着した出金カセット１３２からの紙幣のテスト出金の指示を受け付けたならば、装着した出金カセット１３２から紙幣を１枚、紙幣取出口１３６に払い出すようにした。また、払い出された紙幣をチケット挿入口１１１で受け付けたならば、受け付けた紙幣の金種を識別し、該紙幣の金種識別結果とテスト出金を指示した出金カセット１３２から取得した紙幣の金種の情報との整合をチェックすることによって、新たに装着された出金カセット１３２に装填されている紙幣の金種を検査できるよう構成したので、脱着可能なカセットに装填されている紙葉類の種類の確認と、該カセットからの紙葉類の払い出し動作の確認とを効率的に実施することができる。
【実施例２】
【０１６７】
実施例１では、出金カセット１３２に人手によって紙幣を装填し、その装填された紙幣の金種の確認を含む精算機１００の運用開始前に行う準備を効率化できる方法を説明してきた。しかしながら、出金カセット１３２に人手で紙幣を装填する限り、誤りを全て防止することはできないので、実施例１に示した方法で効率よく運用開始前の準備作業を進めることはできるものの、出金カセット１３２に装填されている紙幣の金種が不正であった場合には、異例的な対応を行わなければならなくなり運用開始前の準備作業の完了までには非常に手間がかかってしまうことになる。そこで、実施例２では、出金カセット１３２への紙幣装填における誤りを完全に防止するとともに、更なる運用開始前の準備作業の効率化と、運用終了後の当日の営業内容に応じた貨幣の在高の確認などの精査を効率よく実施することができる例について説明する。
【０１６８】
まず、実施例２に係る精算機２００に装着する出金カセット１３２への紙幣の装填から、営業終了後の精査処理までの全体の処理概要を、図１７を用いて説明する。
【０１６９】
バックオフィスにおいて、出金カセット１３２への紙幣の装填は、紙幣処理機５０を用いて実施する。紙幣処理機５０は内部に出金カセット１３２を装着することが可能である。また、紙幣処理機５０は、装着された出金カセット１３２の有する装填されるべき紙幣の金種の情報を取得し、（ａ）において該装填されるべき紙幣の金種に応じた紙幣の装填処理を行う。このため、少なくとも紙幣処理機５０によって出金カセット１３２に紙幣を装填する段階においては、出金カセット１３２の有する装填されるべき紙幣の金種の情報と、装填される紙幣の金種が不整合となることはない。また、紙幣処理機５０は、（ａ）による出金カセット１３２への紙幣装填が行われたならば、装填された出金カセット１３２のカセット識別情報及び装填枚数などの情報を有する補充チケットＴ１の発行を行う。また、紙幣処理機５０は、該補充チケットＴ１の発行に伴って、カセット識別情報、金種、装填枚数などを含む出金カセット装填通知を管理サーバ３０に送信する。管理サーバ３０は、出金カセット装填通知を受け付けたならば、（ｂ）において受け付けた出金カセット装填通知の内容を紙幣出金カセットデータ３４ａに登録する。
【０１７０】
係員は、（ｃ）において紙幣処理機５０から抜き取った紙幣が装填済の出金カセット１３２と、紙幣処理機５０から出力された補充チケットＴ１とをセットにして、（ｄ）に示すように営業フロアの精算機２００のある場所に持ち込んで、精算機２００に持ちこんだ出金カセット１３２の装着を行って、該装着に伴う処理（ｅ）を行う。（ｅ）に示す処理は、具体的には、装着した出金カセット１３２とセットの補充チケットＴ１をチケット挿入口１１１に挿入して、鑑別部１１２によって補充チケットＴ１からカセット識別情報及び装填枚数などの情報を読み取って、カセット識別情報のチェックや出金カセットデータ１０６ｄの装填枚数の登録等の処理を行う。カセット識別情報のチェックで出金カセット１３２から取得したカセット識別情報と、補充チケットＴ１から取得したカセット識別情報との一致が確認されたならば、実施例１と同様に管理サーバ３０に、出金カセット１３２が正しく装着されたことを管理サーバ３０に送信する。管理サーバ３０は、精算機１００からの出金カセット１３２が正しく装着されたことを示す通知を受け付けて、（ｂ）で紙幣装填された出金カセット１３２と、装着された精算機２００との関係を管理することができる。
【０１７１】
また、実施例１では、手作業で出金カセット１３２に紙幣の装填を行っていたが、実施例２では紙幣処理機５０によって、出金カセット１３２の有する装填されるべき紙幣の金種の情報に従って対応する金種の紙幣を装填するようにしたので、少なくとも補充チケットＴ１によってカセット識別情報及び装填枚数などの情報を読み取った場合には、出金カセット１３２に装填されている紙幣の金種の検査は行う必要はない。
【０１７２】
また、運用終了後に精算機２００に残っている紙幣やチケットを回収する場合には、（ｆ）に示すように精算機２００の第１受入部１１０から受入ボックス１１４、第２受入部１２０から受入ボックス１２４、紙幣出金部１３０の出金カセット１３２ａ〜１３２ｅを取り出して、該受入ボックス１１４、１２４及び出金カセット１３２ａ〜１３２ｅを、（ｇ）に示すようにバックオフィスに回収する。また、精算機２００は、（ｈ）に示すように受入ボックス１１４、１２４に収納されているチケットのチケット番号の一覧情報を含む回収チケットＴ２を発行する。
【０１７３】
精算機２００から抜き取られてバックオフィスに回収された受入ボックス１１４、１２４及び出金カセット１３２ａ〜１３２ｅは、それぞれ回収ボックス計数機６０に装着することによって、（ｉ）に示す処理によって、受入ボックス１１４、１２４及び出金カセット１３２ａ〜１３２ｅに収納されていた紙幣の金額などを計数して、受入ボックス１１４、１２４及び出金カセット１３２ａ〜１３２ｅのごとにそれぞれの識別情報と、紙幣の計数結果等の情報とを集計端末３４０に通知する。
【０１７４】
集計端末３４０は、回収ボックス計数機６０から（ｉ）に示す処理によって送信された受入ボックス１１４、１２４ごとにそれぞれの識別情報と、紙幣の計数結果と、収納されていたチケット枚数とを受け付けたならば、（ｊ）に示す処理において受け付けた内容を含む受入ボックス回収通知を管理サーバ３０に送信する。また、集計端末３４０は、回収ボックス計数機６０から（ｉ）に示す処理によって送信された出金カセット１３２ａ〜１３２ｅのごとにそれぞれの識別情報と、紙幣の計数結果とを受け付けたならば、（ｊ）に示す処理において受け付けた内容を含む出金カセット回収通知を管理サーバ３０に送信する。
【０１７５】
管理サーバ３０は、集計端末３４０から（ｊ）に示す処理によって送信された受入ボックス回収通知を受け付けたならば、管理サーバ３０の管理する受入ボックスデータ３４ｃの対応する受入ボックス１１４、１２４に係る回収金額などの情報を受け付けた情報に基づいて更新する。また、管理サーバ３０は、集計端末３４０から（ｊ）に示す処理によって送信された出金カセット回収通知を受け付けたならば、管理サーバ３０の管理する紙幣出金カセットデータ３４ａの対応する出金カセット１３２に係る回収金額などの情報を受け付けた情報に基づいて更新する。
【０１７６】
実施例１であれば、精算機１００から回収された受入ボックス１１４、１２４及び出金カセット１３２ａ〜１３２ｅに収納されていた紙幣の金額などの計数及び計数結果の管理サーバ３０への登録は手作業が含まれていたので、作業効率が悪いだけではなく作業誤りが混入する可能性も高かった。実施例２では、精算機２００から回収された受入ボックス１１４、１２４及び出金カセット１３２ａ〜１３２ｅに収納されていた紙幣の金額などの計数及び計数結果の管理サーバ３０への登録は人手による部分が殆どないので効率もよく、且つ作業誤りが混入する可能性を大幅に低減することができるのである。
【０１７７】
また、精算機２００において（ｈ）に示した処理発行された、受入ボックス１１４、１２４に収納されているチケットのチケット番号の一覧情報を含む回収チケットＴ２を集計端末３４０の（ｍ）の処理においてバーコードリーダ４４を用いて読みとることによって、受入ボックス１１４、１２４に収納されて回収されたチケットを１枚ずつ読み取る必要はなくなる。（ｍ）の処理において回収チケットＴ２から回収されたチケットの情報を読み取ったならば、集計端末３４０は、受け付けた内容を受入チケットデータ４５ａに登録するとともに、受入チケットデータ４５ａに登録した内容をチケットサーバ２０にも送信することによってチケットサーバ２０に、チケットが回収済みであることを通知する。チケットサーバ２０は、回収済みのチケット番号を受け付けて、（ｎ）の処理で、発行済みのチケットの消込処理を行う。
【０１７８】
このように、運用開始前においては、紙幣処理機５０を用いて出金カセット１３２への紙幣装填行い、装填した内容が出力された補充チケットＴ１を発行し、精算機２００では、紙幣処理機５０で紙幣が装填された出金カセット１３２と補充チケットＴ１とを用いて該出金カセット１３２の装着時の処理を実施するようにした。出金カセット１３２への紙幣装填作業は、手作業ではなく紙幣処理機５０によって行われることとなり、効率化が図られるだけではなく、出金カセット１３２から取得した装填すべき紙幣の金種の情報に基づいて紙幣の装填を行うので誤った種類の紙幣を装填してしまうという誤りを防止することができるようになった。また、補充チケットＴ１を用いて該出金カセット１３２の装着時の作業を実施することから、出金カセット１３２のカセット識別情報や装填枚数などを手入力する必要がなくなり作業効率、作業の正確性をともに向上させることができる。
【０１７９】
また、運用終了後の精算機２００から回収した受入ボックス１１４、１２４及び出金カセット１３２に収められている紙幣などの計数と、該計数結果の管理サーバ３０などへの紙幣などの計数結果の登録も回収ボックス計数機６０及び集計端末３４０によって自動化され作業効率、作業の正確性をともに向上させることができるのである。
【０１８０】
次に、図１７に示した紙幣処理機５０の実施例２に係る機能的な内部構成を説明する。図１８は、紙幣処理機５０の実施例２に係る機能的な内部構成を示す機能ブロック図である。図１８に示すように、紙幣処理機５０は、液晶パネルなどの表示部５１と、キーボードなどの入力部５２と、管理サーバ３０とデータ通信を行う通信部５３と、補充チケットＴ１の発行を行うチケット発行部５４と、紙幣投入口に投入された紙幣の真贋判定及び金種識別を行って識別した金種ごとに収納部５６に装着された出金カセット１３２に収納する入金部５５と、出金カセット１３２を複数装着することの可能な収納部５６と、記憶部５７と、制御部５８とを有している。
【０１８１】
記憶部５７は、ハードディスク装置や不揮発性メモリ等の記憶デバイスであり、カセットデータ５７ａを有する。カセットデータ５７ａは、収納部５６に装着された出金カセット１３２ごとの情報を有する。
【０１８２】
制御部５８は、紙幣処理機５０の全体を制御する制御部であり、紙幣装填処理部５８ａ及び補充チケット発行部５８ｂを有する。実際には、これらの機能部に対応するプログラムを図示しないＲＯＭや不揮発性メモリに記憶しておき、これらのプログラムをＣＰＵにロードして実行することにより、それぞれ対応するプロセスを実行させることになる。
【０１８３】
紙幣装填処理部５８ａは、出金カセット１３２が収納部５６に装着されたことを検知したならば、装着されたことを検知した出金カセット１３２からカセット識別情報及び該出金カセット１３２に装填されるべき紙幣の金種の情報を取得して、読み取った情報に基づいて出金カセット１３２の情報をカセットデータ５７ａに登録する。また、紙幣装填処理部５８ａは、紙幣投入口に紙幣が投入されたならば、入金部５５によって出金カセット１３２に装填された紙幣の枚数をカセットデータ５７ａの対応するレコードの装填枚数に登録する。
【０１８４】
補充チケット発行部５８ｂは、収納部５６から抜き取る出金カセット１３２の指定を受け付けて、カセットデータ５７ａの指定された出金カセット１３２に対応する情報に基づいて補充チケットＴ１の発行を行う。また、補充チケット発行部５８ｂは、補充チケットＴ１の発行を行うとカセットデータ５７ａの対応するレコードのチケット発行状況を発行済みに変更する。紙幣装填処理部５８ａは、カセットデータ５７ａのチケット発行状況がチケット発行済みとなっている出金カセット１３２については、紙幣の追加の装填は行わないように制御する。
【０１８５】
次に、図１８に示した紙幣処理機５０の実施例２に係るデータ構成を、図１９を用いて説明する。
【０１８６】
カセットデータ５７ａは、出金カセット１３２の装着された収納部５６上の位置と、出金カセット１３２のカセット識別情報と、該出金カセット１３２から取得した装填されるべき紙幣の金種の情報と、装填された枚数と、補充チケットＴ１の発行状況とをレコード保有項目とするデータである。
【０１８７】
図１９に示すカセットデータ５７ａは、出金カセット１３２の収納部５６の「位置１」に装着された出金カセット１３２のカセット識別情報が「ＸＹＺ−１０１」で、該出金カセット１３２から取得した装填されるべき紙幣の金種の情報が「１００ドル」で、該出金カセットに装填された枚数が「１５００」枚で、補充チケットＴ１は「未発行」であることを示すレコードを含むという例である。
【０１８８】
次に、図１７に示した回収ボックス計数機６０の実施例２に係る機能的な内部構成を説明する。図２０は、回収ボックス計数機６０の実施例２に係る機能的な内部構成を示す機能ブロック図である。図２０に示すように、回収ボックス計数機６０は、液晶パネルなどの表示部６１と、キーボードなどの入力部６２と、集計端末３４０とデータ通信を行う通信部６３と、ボックス装着部６４と、鑑別部６５と、計数済紙幣貯留部６６と、記憶部６７と、制御部６８とを有している。
【０１８９】
ボックス装着部６４は、精算機２００から回収した受入ボックス１１４、１２４及び出金カセット１３２を装着する部分であり、装着した受入ボックス１１４、１２４及び出金カセット１３２から紙幣及びチケットを繰り出して鑑別部６５に搬送する。鑑別部６５は、ボックス装着部６４に装着された受入ボックス１１４、１２４及び出金カセット１３２から搬送された紙幣及びチケットを判別し、紙幣であれば真贋判定及び金種の識別を行う。チケットの場合には、チケットの枚数のみをカウントする。計数済紙幣貯留部６６は鑑別部６５によって鑑別された紙幣及びチケットを種類別に貯留するための部位であり、紙幣とチケット、紙幣については金種ごとに分別されて貯留される。
【０１９０】
記憶部６７は、ハードディスク装置や不揮発性メモリ等の記憶デバイスであり、計数データ６７ａを有する。計数データ６７ａは、ボックス装着部６４に装着された受入ボックス１１４、１２４又は出金カセット１３２ごとに、受入ボックス１１４、１２４又は出金カセット１３２から取得したデータと、該受入ボックス１１４、１２４又は出金カセット１３２に収納されていた紙幣及びチケットを計数した結果とを記憶したデータである。
【０１９１】
制御部６８は、回収ボックス計数機６０の全体を制御する制御部であり、計数処理部６８ａ及び計数結果通知部６８ｂを有する。実際には、これらの機能部に対応するプログラムを図示しないＲＯＭや不揮発性メモリに記憶しておき、これらのプログラムをＣＰＵにロードして実行することにより、それぞれ対応するプロセスを実行させることになる。
【０１９２】
計数処理部６８ａは、ボックス装着部６４に装着されたのが受入ボックス１１４、１２４の場合には、受入ボックス１１４、１２４の識別情報を取得して、計数データ６７ａに該識別情報に係るレコードを追加するとともに、該受入ボックス１１４、１２４に収められていた紙幣の金額と、チケット枚数とを計数して追加したレコードに登録する。また、装着されたのが出金カセット１３２の場合には、出金カセット１３２からカセット識別情報及び当該カセットの金種の情報を取得して、計数データ６７ａに該カセット識別情報に係るレコードを追加するとともに、該出金カセットに収められていた紙幣の枚数を計数して追加したレコードに登録する。
【０１９３】
計数結果通知部６８ｂは、計数処理部６８ａによる受入ボックス１１４、１２４又は出金カセット１３２の計数処理が終了したならば、該計数処理の結果を集計端末３４０に送信する。実施例２では、該計数結果を集計端末３４０に送信するものとしたが、直接管理サーバ３０に送信するものとしてもよい。
【０１９４】
次に、図２０に示した回収ボックス計数機６０の実施例２に係るデータ構成について、図２１を用いて説明する。
【０１９５】
計数データ６７ａは、受入ボックス１１４、１２４又は出金カセット１３２の装着されたボックス装着部６４上の位置と、受入ボックス１１４、１２４又は出金カセット１３２から取得した識別情報と、受入ボックス１１４、１２４なのか出金カセット１３２なのかを示すカセット種類と、装着されたのが出金カセット１３２の場合の該出金カセットの金種及びその金種の紙幣の計数枚数と、装着されたのが受入ボックス１１４、１２４の場合の紙幣の計数金額とチケットの枚数と、受入ボックス１１４、１２４又は出金カセット１３２がボックス装着部６４に装着された日時である回収日時と、当該レコードのステータスとをレコード保有項目とするデータである。ステータスには、装着された受入ボックス１１４、１２４又は出金カセット１３２に収納されている紙幣及びチケットの計数処理中であることを示す「計数中」と、計数処理が終了していることを示す「計数済」と、当該レコードの内容を集計端末３４０に送信済みであることを示す「送信済」とがある。
【０１９６】
図２１に示す計数データ６７ａの１レコード目のデータの例は、装着されたボックス装着部６４上の「位置１」に装着された、識別情報が「ＸＹＺ−１０１」である、カセット種類が「出金カセット」である出金カセット１３２は、金種が「１００ドル」で、収納されている紙幣を計数した結果が「１２０」枚で、回収日時が「２０１４０４０９  ２３：３０」で、ステータスが「計数中」であることを示している。また、図２１に示す計数データ６７ａの２レコード目のデータの例は、装着されたボックス装着部６４上の「位置２」に装着された、識別情報が「ＰＱＲ−００１」である、カセット種類が「受入ボックス」である受入ボックス１１４、１２４から、収納されている紙幣を計数した結果が「４８０」ドルで、チケット枚数が「１５０」枚で、回収日時が「２０１４０４０９  ２３：３０」で、ステータスが「送信済」であることを示している。
【０１９７】
次に、図１７に示した精算機２００の実施例２に係る機能的な内部構成を説明する。図２２は、精算機２００の実施例２に係る機能的な内部構成を示す機能ブロック図である。図２２は、実施例１の精算機１００と同じ構成要素には同じ符号を付与し、実施例１と差異のある構成要素には異なる符号を付与した図である。実施例１の精算機１００と同じ構成要素についての説明は省略し、精算機１００と差異のある構成要素を中心に説明する。精算機１００との差異がある構成要素は、制御部１０７の補充・回収処理部２０７ａ、出金カセット検査部２０７ｆ及びチケット一覧出力処理部２０７ｈの３つである。
【０１９８】
補充・回収処理部２０７ａは、出金カセット１３２の装着時の出金カセット１３２のカセット識別情報及び該出金カセット１３２に装填されている紙幣の枚数の情報の受付方が異なる。実施例１では図１４（ａ）及び（ｂ）に示したように、装着した出金カセット１３２のカセット識別情報及び該出金カセット１３２に装填されている紙幣の枚数は入力部１０２などから手入力によって入力されたが、実施例２では紙幣処理機５０で発行された補充チケットＴ１を、チケット挿入口１１１、１２１に挿入して、補充チケットＴ１に記載された内容を鑑別部１１２、１２２によって読み取ることによって入力を受け付ける。
【０１９９】
実施例１では新規に装着された出金カセット１３２をすべて金種検査の対象としたが、実施例２の出金カセット検査部２０７ｆは、出金カセット１３２を新規に装着したときに、補充チケットＴ１を用いてカセット識別情報及び該出金カセット１３２に装填されている紙幣の枚数を入力受け付けた場合には、当該出金カセット１３２は紙幣処理機５０によって紙幣を装填したことを意味することから、テスト出金による金種検査は行わない。ただし、設定によって補充チケットＴ１を用いてカセット識別情報及び該出金カセット１３２に装填されている紙幣の枚数を入力受け付けたとしても、金種検査を行うようにしてもよい。
【０２００】
チケット一覧出力処理部２０７ｈは、実施例２で追加された処理部であって、受入ボックス１１４、１２４の回収時に、表示操作部１０１からの回収チケットＴ２の発行の指示を受け付けて、在高データ１０６ｅの情報に基づいて精算済みのチケット番号の一覧の情報を含む回収チケットＴ２の発行を行う。
【０２０１】
次に、図２２に示した集計端末３４０の実施例２に係る機能的な内部構成を説明する。図２３は、集計端末３４０の実施例２に係る機能的な内部構成を示す機能ブロック図である。図２３は、実施例１の集計端末４０と同じ構成要素には同じ符号を付与し、実施例１と差異のある構成要素には異なる符号を付与した図である。実施例１の集計端末４０と同じ構成要素についての説明は省略し、集計端末４０と差異のある構成要素を中心に説明する。集計端末４０との差異がある構成要素は、制御部４６の紙幣出金カセット情報入力部３４６ａ、受入ボックス情報入力部３４６ｃ及びチケットデータ入力部３４６ｄの３つである。
【０２０２】
実施例１の紙幣出金カセット情報入力部４６ａは、回収した出金カセット１３２ごとに出金カセット１３２のカセット識別情報と、該出金カセット１３２に収納されて回収された紙幣の枚数との入力を入力部４２などによって受け付けて、受け付けた内容を含む出金カセット回収通知を管理サーバ３０に送信した。実施例２の紙幣出金カセット情報入力部３４６ａは、出金カセット１３２のカセット識別情報と、該出金カセット１３２に収納されて回収された紙幣の枚数の情報を回収ボックス計数機６０から受け付けて、受け付けた内容に基づいて出金カセット回収通知を管理サーバ３０に送信する。
【０２０３】
実施例１の受入ボックス情報入力部４６ｃは、受入ボックス１１４、１２４ごとに受入ボックス１１４、１２４の識別情報と、該受入ボックス１１４、１２４に収納されて回収されたチケットの枚数と、紙幣の金額との入力を入力部４２などによって受け付けて、受け付けた内容を含む受入ボックス回収通知を管理サーバ３０に送信した。実施例２の受入ボックス情報入力部３４６ｃは、受入ボックス１１４、１２４の識別情報と、該受入ボックス１１４、１２４に収納されて回収されたチケットの枚数と、紙幣の金額とを回収ボックス計数機６０から受け付けて、受け付けた内容に基づいて受け付けた内容を含む受入ボックス回収通知を管理サーバ３０に送信する。
【０２０４】
チケットデータ入力部３４６ｄは、精算機２００で発行された回収チケットＴ２をバーコードリーダ４４で読み取って受入チケットデータ４５ａに登録する。また、実施例２では、精算機２００において精算済みのチケット番号の一覧の情報を回収チケットＴ２に出力して、集計端末３４０で該回収チケットＴ２をバーコードリーダ４４で読み込んだ情報を受入チケットデータ４５ａに登録するものとしたが、精算機２００で回収チケットＴ２を発行する代わりに、回収チケットＴ２に出力する情報を直接集計端末３４０に送信するようにしてもよい。
【０２０５】
次に、実施例２に係る精算機２００における出金カセット１３２の装着時の処理から、装着された出金カセット１３２からの紙幣の払い出し処理及び装着された出金カセット１３２に装填された紙幣の金種の確認処理までの一連の処理の処理手順を、図２４に示すフローチャートを用いて説明する。図２４は、実施例１の精算機１００における処理手順の違いが分かるようにするために、同じ処理には同じステップ番号を付与し、処理内容が異なる処理及び新たに追加された処理に新たなステップ番号を付与した図である。図２４を用いて、実施例１における処理手順の異なる部分を中心に説明する。
【０２０６】
実施例１のステップＳ１０５のカセット識別情報・補充枚数受付処理は、同じカセット識別情報・補充枚数受付処理であるものの処理内容が異なっておりステップ番号をＳ３０１に変更している。実施例１のステップＳ１０５のカセット識別情報・補充枚数受付処理は、図１４（ａ）及び（ｂ）で示した画面で、カセット識別情報及び補充枚数の入力を受け付けたが、実施例２のステップＳ３０１のカセット識別情報・補充枚数受付処理は、実施例１と同様に画面入力によるカセット識別情報及び補充枚数の入力を受け付けに加えて、精算機２００で発行された回収チケットＴ２をバーコードリーダ４４で読み込むことによる受け付けも可能とする。
【０２０７】
また、実施例２では、実施例１のステップＳ１１２の管理サーバ通知処理とステップＳ１１３の間に、ステップＳ３０２及びステップＳ３０３の処理が挿入されている。ステップ３０１で補充チケットＴ１によってカセット識別情報及び補充枚数の入力を受け付けた場合（ステップＳ３０２；Ｙｅｓ）には、出金カセットデータ１０６ｄの金種検査結果の項目に金種検査が不要であることを示す「検査不要」を書き込んで（ステップＳ３０３）、ステップＳ１１３に移行する。ステップ３０１で図１４（ａ）及び（ｂ）で示した画面で、カセット識別情報及び補充枚数の入力を受け付けた（ステップＳ３０２；Ｎｏ）には、ステップＳ３０３の処理をスキップしてステップＳ１１３に移行する。
【０２０８】
また、実施例２ではステップＳ１１６の金種検査処理を行うか否かの判定処理としてステップＳ３０４が、ステップＳ１１５の前に追加で挿入される。出金カセットデータ１０６ｄのレコードの識別情報チェックの項目に「良」が登録された、受入が可能と判定された出金カセット１３２があって（ステップＳ１１４；Ｙｅｓ）、金種検査結果の項目が「検査不要」でない金種検査が必要な出金カセット１３２がある場合（ステップＳ３０４；Ｙｅｓ）には、金種検査処理（ステップＳ１１５）を行う。また、受け入れが可能と判定された出金カセット１３２がなかったり（ステップＳ１１４；Ｎｏ）、受け入れが可能と判定された出金カセット１３２があって（ステップＳ１１４；Ｙｅｓ）も、該出金カセット１３２に対応する出金カセットデータ１０６ｄの金種検査結果の項目がいずれも「検査不要」の場合（ステップＳ３０４；Ｎｏ）には、金種検査処理（ステップＳ１１５）をスキップする。
【０２０９】
上述してきたように、本実施例２では、運用開始前においては、紙幣処理機５０を用いて出金カセット１３２への紙幣装填行い、装填した内容が出力された補充チケットＴ１を発行し、精算機２００では、紙幣処理機５０で装填された出金カセット１３２と補充チケットＴ１を用いて該出金カセット１３２の装着時の処理を実施するよう構成したので、出金カセット１３２への紙幣装填作業は、手作業ではなく紙幣処理機５０によって行われることとなり、効率化が図られるだけではなく、出金カセット１３２から取得した装填すべき紙幣の金種の情報に基づいて紙幣の装填を行うので誤った種類の紙幣を装填してしまうという誤りを防止することができる。また、運用終了後の精算機２００から回収した受入ボックス１１４、１２４及び出金カセット１３２に収められている紙幣などの計数と、該計数結果の管理サーバ３０などへの紙幣などの計数結果の登録も回収ボックス計数機６０及び集計端末３４０によって自動化するよう構成したので、運用終了後の作業についても作業効率、作業の正確性をともに向上させることができる。
【０２１０】
なお、実施例１及び実施例２では、出金カセットパラメータ１０６ａ、出金カセット検査パラメータ１０６ｂ及び受入部パラメータ１０６ｃの情報を精算機１００、２００に保有することを説明したが、本発明はこれに限定されるものではない。例えば、出金カセットパラメータ１０６ａ、出金カセット検査パラメータ１０６ｂ及び受入部パラメータ１０６ｃの情報を管理サーバ３０に精算機１００、２００ごとの設定情報として保有し、精算機１００、２００の起動時に精算機１００、２００から配信するものとしてもよい。
【０２１１】
また、実施例１及び実施例２では、精算機１００、２００は、精算処理の対象をスロットマシン１０で発行されたチケットとして説明してきたが、本発明はこれに限定されるものではない。例えば、精算機１００、２００は、テーブルゲームなどで用いられるコイン状のチップの精算を行うことができてもよい。チップの種類の識別は、チップの画像に基づいて行うか、チップが内蔵する種類を記憶したＩＣタグから読み取ることによって実施するものとして、精算機１００、２００は、受け付けたチップの種類ごとの枚数を計数して、チップの種類ごとの枚数に応じた貨幣を払い出すことによってチップの精算を行えるようにしてもよい。
【０２１２】
また、実施例１及び実施例２では、精算処理と、銀行カードを使用した銀行口座への入出金取引とは別々の取引として実行可能であることを説明したが、精算によって払い出す貨幣を銀行口座へ直接入金できるようにしてもよい。また、その場合には、銀行口座への入金額は精算額の全額でも、指定の一部であってもよい。
【０２１３】
また、精算機１００、２００は、発行するチケット収納用のチケットカセットと、該チケットカセットから繰り出したチケットに金額に対応するバーコードなどを出力する出力部を設けて、現金の入金若しくは銀行口座からの出金額に応じたチケットの払い出しをできるようにしてもよい。また、精算機１００、２００は、上部に払い出すチップの収納部を備えたホッパ上のチップ払出部を設けて、現金の入金若しくは銀行口座からの出金額に応じたチップを払い出しができてもよい。
【０２１４】
また、実施例１及び実施例２では、現金の払い出しが紙幣詰り、エンプティ又は他の故障で全額払い出せなかった場合には、失敗レシートを発行するものとしたが、本発明はこれに限定されるものではない。例えば、発行するチケット収納用のチケットカセットと、該チケットカセットから繰り出したチケットに金額に対応するバーコードなどを出力する出力部を設けて、現金の払い出しが全額払い出せなかった場合には、払い出せなかった金額に相当するチケットを発行するようにしてもよい。チケットを発行する場合には、チケット発行した旨をチケットサーバにも通知する。発行されたチケットは、別の精算機１００、２００で現金の払い出しを行うことが可能となる。
【０２１５】
また、上述の実施例で図示した各構成は機能概略的なものであり、必ずしも物理的に図示の構成をされていることを要しない。すなわち、各装置の分散・統合の形態は図示のものに限られず、その全部又は一部を各種の負荷や使用状況などに応じて、任意の単位で機能的又は物理的に分散・統合して構成することができる。
【産業上の利用可能性】
【０２１６】
以上のように、本発明に係る紙葉類処理装置及び紙葉類処理方法は、脱着可能なカセットに装填されている紙葉類の種類の確認と、該カセットからの紙葉類の払い出しの一連の動作の確認とを効率的に実施することに適している。
【符号の説明】
【０２１７】
１０  スロットマシン
１１  ＩＣリーダ
１２ａ  硬貨搬送部
１２ｂ  硬貨払出部
１２ｃ、５４  チケット発行部
１３  通信Ｉ／Ｆ部
１４、２１、３１、４１、５１、６１  表示部
１５  操作部
１６ａ  ドラム
１６ｂ  硬貨収納部
１６ｃ  チケット収納部
１７、２５、３５、４６、５８、６８、１０７  制御部
１７ａ  硬貨処理部
１７ｂ  当り判定部
１７ｃ  ドラム制御部
１７ｄ  硬貨払出制御部
１７ｅ  チケット発行制御部
２０  チケットサーバ
２２、３２、４２、５２、６２、１０２  入力部
２３、３３、４３、５３、６３、１０３  通信部
２４、３４、４５、５７、６７、１０６  記憶部
２４ａ  チケットデータ
２５ａ  チケット情報管理部
２５ｂ  チケット情報照会処理部
３０  管理サーバ
３４ａ  紙幣出金カセットデータ
３４ｂ  硬貨出金ボックスデータ
３４ｃ  受入ボックスデータ
３４ｄ、１０６ｆ  取引履歴データ
３４ｅ  失敗レシートデータ
３５ａ  紙幣出金カセット管理部
３５ｂ  硬貨出金ボックス管理部
３５ｃ  受入ボックス管理部
３５ｄ  取引履歴管理部
３５ｅ  失敗レシート管理部
３５ｆ  集計精査処理部
４０、３４０  集計端末
４４  バーコードリーダ
４５ａ  受入チケットデータ
４６ａ、３４６ａ  紙幣出金カセット情報入力部
４６ｂ  硬貨出金ボックス情報入力部
４６ｃ、３４６ｃ  受入ボックス情報入力部
４６ｄ、３４６ｄ  チケットデータ入力部
４６ｅ  精査処理部
５０  紙幣処理機
５５  入金部
５６  収納部
５７ａ  カセットデータ
５８ａ  紙幣装填処理部
５８ｂ  補充チケット発行部
６０  回収ボックス計数機
６４  ボックス装着部
６５、１１２、１２２  鑑別部
６６  計数済紙幣貯留部
６７ａ  計数データ
６８ａ  計数処理部
６８ｂ  計数結果通知部
１００、２００  精算機
１０１  表示操作部
１０４  呼出ランプ
１０５  カメラ
１０６ａ  出金カセットパラメータ
１０６ｂ  出金カセット検査パラメータ
１０６ｃ  受入部パラメータ
１０６ｄ  出金カセットデータ
１０６ｅ  在高データ
１０６ｇ  失敗レシート発行データ
１０７ａ、２０７ａ  補充・回収処理部
１０７ｂ  チケット精算部
１０７ｃ  両替処理部
１０７ｄ  カード入出金処理部
１０７ｅ  出金制御部
１０７ｆ、２０７ｆ  出金カセット検査部
１０７ｇ  出金再処理部
１１０  第１受入部
１１１、１２１  チケット挿入口
１１３、１２３  受入搬送部
１１４、１２４  受入ボックス
１２０  第２受入部
１３０  紙幣出金部
１３１  出金紙幣収納部
１３２、１３２ａ、１３２ｂ、１３２ｃ、１３２ｄ、１３２ｅ  出金カセット
１３３  出金搬送部
１３４  一時保留部
１３５  リジェクトボックス
１３６  紙幣取出口
１４０  硬貨出金部
１４１  硬貨取出口
１５０  レシートプリンタ
１５１  レシート取出口
１６０  銀行カードリーダ
１６１  銀行カード挿入口
１７０  係員カードリーダ
１７１  係員カード挿入口
２０７ｈ  チケット一覧出力処理部
Ｔ１  補充チケット
Ｔ２  回収チケット
【図１】
2016038817.tif 000003
【図２】
2016038817.tif 000004
【図３】
2016038817.tif 000005
【図４】
2016038817.tif 000006
【図５】
2016038817.tif 000007
【図６】
2016038817.tif 000008
【図７】
2016038817.tif 000009
【図８】
2016038817.tif 000010
【図９】
2016038817.tif 000011
【図１０】
2016038817.tif 000012
【図１１】
2016038817.tif 000013
【図１２】
2016038817.tif 000014
【図１３】
2016038817.tif 000015
【図１４】
2016038817.tif 000016
【図１５】
2016038817.tif 000017
【図１６】
2016038817.tif 000018
【図１７】
2016038817.tif 000019
【図１８】
2016038817.tif 000020
【図１９】
2016038817.tif 000021
【図２０】
2016038817.tif 000022
【図２１】
2016038817.tif 000023
【図２２】
2016038817.tif 000024
【図２３】
2016038817.tif 000025
【図２４】
2016038817.tif 000026